(57)【特許請求の範囲】
【請求項１】
送信データを取り込み、サブキャリア変調を行うサブキャリア変調手段と、
前記サブキャリア変調手段の出力信号であるサブキャリア変調信号に対して直列並列変換を行う直列並列変換手段と、
実数信号成分及び虚数信号成分の値が共に０であるヌル信号を出力するヌル信号生成手段と、
前記直列並列変換手段の出力信号と前記ヌル信号生成手段の出力信号が入力され、前記ヌル信号生成手段の出力信号がマルチキャリア変調信号における両端の複数のサブキャリア信号として入力された状態でマルチキャリア変調を行うマルチキャリア変調手段と、
ガードインターバルを前記マルチキャリア変調手段の出力信号であるマルチキャリア変調信号に付加するための制御信号を出力するガードインターバル付加制御手段と、
前記マルチキャリア変調信号と前記ガードインターバル付加制御手段の制御信号が入力され、ガードインターバル付加制御手段の制御信号に応じてマルチキャリア変調信号を並列直列変換し、かつガードインターバル区間を付加するように出力する並列直列変換手段とを有し、
前記マルチキャリア変調手段は、共用する他システムが使用する帯域に相当する入力信号として前記サブキャリア信号の代りに前記ヌル信号生成手段の出力信号を取り込み、マルチキャリア変調を行うとともに、さらに、
受信信号を取り込み、受信信号と同じ周波数帯域に含まれる他システムからの干渉信号のレベルを検出する干渉信号レベル検出手段と、
前記干渉信号レベル検出手段の検出出力を取り込み、該検出出力が設定された閾値を超えた場合には閾値を超えたことを示す信号を出力する閾値手段と、
前記閾値手段の出力信号を取り込み、前記干渉信号が一定の閾値以上で受信される他システムの干渉期間を検出する干渉期間検出手段と、
前記干渉期間検出手段と前記並列直列変換手段の各出力信号を取り込み、前記干渉期間で示される時間に亙り送信を停止する制御を行う信号送信手段とを有することを特徴とするマルチキャリア変調方式用送信回路。
【請求項２】
送信データを取り込み、サブキャリア変調を行うサブキャリア変調手段と、
前記サブキャリア変調手段の出力信号であるサブキャリア変調信号に対して直列並列変換を行う直列並列変換手段と、
実数信号成分及び虚数信号成分の値が共に０であるヌル信号を出力するヌル信号生成手段と、
前記直列並列変換手段の出力信号と前記ヌル信号生成手段の出力信号が入力され、前記ヌル信号生成手段の出力信号がマルチキャリア変調信号における両端の複数のサブキャリア信号として入力された状態でマルチキャリア変調を行うマルチキャリア変調手段と、
ガードインターバルを前記マルチキャリア変調手段の出力信号であるマルチキャリア変調信号に付加するための制御信号を出力するガードインターバル付加制御手段と、
前記マルチキャリア変調信号と前記ガードインターバル付加制御手段の制御信号が入力され、ガードインターバル付加制御手段の制御信号に応じてマルチキャリア変調信号を並列直列変換し、かつガードインターバル区間を付加するように出力する並列直列変換手段とを有し、
前記マルチキャリア変調手段は、共用する他システムが使用する帯域に相当する入力信号として前記サブキャリア信号の代りに前記ヌル信号生成手段の出力信号を取り込み、マルチキャリア変調を行うとともに、さらに、
受信信号を取り込み、受信信号から他システムにおける干渉周波数の干渉信号を抽出する干渉周波数選択フィルタ手段と、該干渉周波数選択フィルタ手段により抽出された干渉信号のレベルを検出する干渉信号レベル検出手段と、該干渉信号レベル検出手段の検出出力を取り込み、該検出出力が設定された閾値を超えた場合には閾値を超えたことを示す信号を出力する閾値手段と、 前記閾値手段の出力信号を取り込み、前記干渉信号が一定の閾値以上で受信される他システムの干渉期間を検出する干渉期間検出手段とからなる干渉期間検出部を、共用を想定した他システムの数ｎに応じてｎ個有すると共に、
信号送信手段は、前記ｎ個の各干渉期間検出部における干渉期間検出手段の出力信号と、前記並列直列変換手段の出力信号を取り込み、ｎ個の各干渉期間検出部毎に前記干渉期間で示される時間に亙り前記並列直列変換手段の出力信号の送信を停止するように制御することを特徴とするマルチキャリア変調方式用送信回路。
【請求項３】
送信データを取り込み、サブキャリア変調を行うサブキャリア変調手段と、
前記サブキャリア変調手段の出力信号であるサブキャリア変調信号に対して直列並列変換を行う直列並列変換手段と、
実数信号成分及び虚数信号成分の値が共に０であるヌル信号を出力するヌル信号生成手段と、
前記直列並列変換手段の出力信号と前記ヌル信号生成手段の出力信号が入力され、前記ヌル信号生成手段の出力信号がマルチキャリア変調信号における両端の複数のサブキャリア信号として入力された状態でマルチキャリア変調を行うマルチキャリア変調手段と、
ガードインターバルを前記マルチキャリア変調手段の出力信号であるマルチキャリア変調信号に付加するための制御信号を出力するガードインターバル付加制御手段と、
前記マルチキャリア変調信号と前記ガードインターバル付加制御手段の制御信号が入力され、ガードインターバル付加制御手段の制御信号に応じてマルチキャリア変調信号を並列直列変換し、かつガードインターバル区間を付加するように出力する並列直列変換手段とを有し、
前記マルチキャリア変調手段は、共用する他システムが使用する帯域に相当する入力信号として前記サブキャリア信号の代りに前記ヌル信号生成手段の出力信号を取り込み、マルチキャリア変調を行うととともに、さらに、
受信信号を取り込み、受信信号と同じ周波数帯域に含まれる他システムからの干渉信号のレベルを検出する干渉信号レベル検出手段と、
前記干渉信号レベル検出手段の検出出力を取り込み、該検出出力が設定された閾値を超えた場合には閾値を超えたことを示す信号を出力する閾値手段と、
前記閾値手段の出力信号を取り込み、干渉信号が一定の閾値以上で受信される他システムの干渉期間を検出し、複数回の干渉期間の検出値に基いて干渉期間の推定も行う干渉期間検出推定手段と、
前記閾値手段の出力信号を複数回取り込み、一定期間周期で受信される干渉信号の送信周期を検出し、複数回の前記送信周期の検出値に基いて送信周期の推定も行う干渉信号周期検出推定手段と、
前記閾値手段の出力信号と前記干渉信号周期検出推定手段の出力信号を取り込み、前記送信周期より長い一定期間に亙り前記閾値手段から前記閾値を超えたことを示す信号が入力されない場合にはリセット信号を出力する制御手段と、
前記干渉期間検出推定手段、干渉信号周期検出推定手段、制御手段及び並列直列変換手段の各出力信号を取り込み、前記送信周期ごとに前記干渉期間で示される時間に亙り、前記並列直列変換手段の出力信号の送信を停止し、前記リセット信号が入力された場合には、この送信停止の制御を停止し、再び前記並列直列変換手段の出力信号の送信を開始する信号送信手段とを有することを特徴とするマルチキャリア変調方式用送信回路。
【請求項４】
送信データを取り込み、サブキャリア変調を行うサブキャリア変調手段と、
前記サブキャリア変調手段の出力信号であるサブキャリア変調信号に対して直列並列変換を行う直列並列変換手段と、
実数信号成分及び虚数信号成分の値が共に０であるヌル信号を出力するヌル信号生成手段と、
前記直列並列変換手段の出力信号と前記ヌル信号生成手段の出力信号が入力され、前記ヌル信号生成手段の出力信号がマルチキャリア変調信号における両端の複数のサブキャリア信号として入力された状態でマルチキャリア変調を行うマルチキャリア変調手段と、
ガードインターバルを前記マルチキャリア変調手段の出力信号であるマルチキャリア変調信号に付加するための制御信号を出力するガードインターバル付加制御手段と、
前記マルチキャリア変調信号と前記ガードインターバル付加制御手段の制御信号が入力され、ガードインターバル付加制御手段の制御信号に応じてマルチキャリア変調信号を並列直列変換し、かつガードインターバル区間を付加するように出力する並列直列変換手段とを有し、
前記マルチキャリア変調手段は、共用する他システムが使用する帯域に相当する入力信号として前記サブキャリア信号の代りに前記ヌル信号生成手段の出力信号を取り込み、マルチキャリア変調を行うとともに、さらに、
受信信号が入力され、この受信信号から他システムの各干渉周波数の干渉信号を抽出する干渉周波数選択フィルタ手段と、該干渉周波数選択フィルタ手段により抽出された干渉信号のレベルを検出する干渉信号レベル検出手段と、前記干渉信号レベル検出手段の検出出力を取り込み、該検出出力が設定された閾値を超えた場合には閾値を超えたことを示す信号を出力する閾値手段と、前記閾値手段の出力信号を取り込み、干渉信号が一定の閾値以上で受信される他システムの干渉期間を検出し、複数回の干渉期間の検出値に基いて干渉期間の推定も行う干渉期間検出推定手段と、前記閾値手段の出力信号を複数回取り込み、一定期間周期で受信される干渉信号の送信周期を検出し、複数回の前記送信周期の検出値に基いて送信周期の推定も行う干渉信号周期検出推定手段と、前記閾値手段の出力信号と前記干渉信号周期検出推定手段の出力信号を取り込み、前記送信周期より長い一定期間に亙り前記閾値手段から前記閾値を超えたことを示す信号が入力されない場合にはリセット信号を出力する制御手段とからなる干渉期間検出部を、共用を想定した他システム数ｎに応じてｎ個有すると共に、
前記ｎ個の各干渉期間検出部における前記干渉期間検出推定手段、干渉信号周期検出推定手段の各出力信号、及び前記制御手段から出力されるリセット信号を取り込み、干渉期間検出手段の出力信号と、前記並列直列変換手段の出力信号を取り込み、前記ｎ個の各干渉期間検出部毎に前記干渉期間で示される時間に亙り前記並列直列変換手段の出力信号の送信を停止し、前記リセット信号が入力された場合には、この送信停止の制御を停止し再び前記並列直列変換手段の出力信号の送信を開始する信号送信手段を有することを特徴とする請求項１に記載のマルチキャリア変調方式用送信回路。
【請求項５】
送信データを取り込み、サブキャリア変調を行うサブキャリア変調手段と、
前記サブキャリア変調手段の出力信号であるサブキャリア変調信号が入力され、この信号に対して直列並列変換を行う直列並列変換手段と、
実数信号成分及び虚数信号成分の値が共に０であるヌル信号を出力するヌル信号生成手段と、
前記直列並列変換手段の出力信号と前記ヌル信号生成手段の出力手段が入力され、前記ヌル信号生成手段の出力信号は、マルチキャリア変調信号における両端の複数のサブキャリア信号として入力された状態でマルチキャリア変調を行うマルチキャリア変調手段と、
ガードインターバルを前記マルチキャリア変調手段の出力信号であるマルチキャリア変調信号に付加するための制御信号を出力するガードインターバル付加制御手段と、
前記マルチキャリア変調信号と前記ガードインターバル付加制御手段の制御信号が入力され、ガードインターバル付加制御手段の制御信号に応じてマルチキャリア変調信号を並列直列変換し、かつガードインターバル区間を付加するように出力する並列直列変換手段とを備えるマルチキャリア変調方式用送信回路において、
受信信号を取り込み、受信信号と同じ周波数帯域に含まれる他システムからの干渉信号レベルを検出する干渉信号レベル検出手段と、
前記干渉信号レベル検出手段の検出出力を取り込み、該検出出力が設定された複数の閾値を時間経過に従い順次超えていく場合に、どの閾値を超えているのかを示す閾値信号を出力する複数閾値手段と、
前記複数閾値手段の出力信号が入力され、該入力信号毎の干渉期間を検出する複数干渉期間検出手段と、
前記複数干渉期間検出手段及び前記並列直列変換手段の出力信号を取り込み、ある特定の前記閾値を超えている前記閾値信号に基いた前記干渉期間で示される時間に亙り前記並列直列変換手段の出力信号の送信を停止するように制御する信号送信手段と、
前記ヌル信号生成手段、直列並列変換手段及びマルチキャリア変調手段の間に設けられた入力切替手段とを有し、
前記入力切替手段は、前記ヌル信号生成手段、複数閾値手段、直列並列変換手段及び前記複数干渉期間検出手段の各出力信号を取り込み、共用する他システムが使用する帯域に相当している前記直列並列変換手段の出力信号について、前記複数干渉期間検出手段の出力信号が示す前記各干渉期間に渡り、前記複数閾値手段の出力信号の値が大きくなるに従い、前記直列並列手段の出力信号を前記ヌル信号生成手段の出力信号に置き換える数を増加するように信号の切り替えを行うことを特徴とするマルチキャリア変調方式用送信回路。
【請求項６】
受信信号を取り込み、受信信号から他システムにおける干渉周波数の干渉信号を抽出する干渉周波数選択フィルタ手段と、該干渉周波数選択フィルタにより抽出された干渉信号レベルを検出する干渉信号レベル検出手段と、前記干渉信号レベル検出手段の検出出力を取り込み、該検出出力が設定された複数の閾値を時間経過に従い順次超えていく場合に、どの閾値を超えているのかを示す閾値信号を出力する複数閾値手段と、前記複数閾値手段の出力信号が入力され、該入力信号毎の干渉期間を検出する複数干渉期間検出手段とからなる干渉期間検出部を、共用を想定した他システムの数ｎに応じてｎ個有すると共に、
前記信号送信手段は、前記ｎ個の各干渉期間検出部における複数干渉期間検出手段の出力信号と、前記並列直列変換手段の出力信号とを取り込み、前記ｎ個の各干渉期間検出部毎に、ある特定の前記閾値を超えている前記閾値信号に基いた前記干渉期間で示される時間に亙り前記並列直列変換手段の出力信号の送信を停止するように制御し、
前記入力切替手段は、前記ヌル信号生成手段、前記直列並列変換手段、ｎ個の前記複数閾値手段及びｎ個の前記複数干渉期間検出手段の各出力信号が入力され、ｎ個の各干渉期間検出部毎に、共用する他システムが使用する帯域に相当している前記直列並列変換手段の出力信号について、前記複数干渉期間検出手段の出力信号が示す各前記干渉期間に亙り、ｎ個の前記複数閾値手段の出力信号が示す各値が大きくなるに従い、前記直列並列手段の出力信号を前記ヌル信号生成手段の出力信号に置きかえる数を増加するように信号の切り替えを行うことを特徴とする請求項５に記載のマルチキャリア変調方式用送信回路。
【請求項７】
送信データを取り込み、サブキャリア変調を行うサブキャリア変調手段と、
前記サブキャリア変調手段の出力信号であるサブキャリア変調信号に対して直列並列変換を行う直列並列変換手段と、
実数信号成分及び虚数信号成分の値が共に０であるヌル信号を出力するヌル信号生成手段と、
前記直列並列変換手段の出力信号と前記ヌル信号生成手段の出力手段が入力され、前記ヌル信号生成手段の出力信号がマルチキャリア変調信号における両端の複数のサブキャリア信号として入力された状態でマルチキャリア変調を行うマルチキャリア変調手段と、
ガードインターバルを前記マルチキャリア変調信号の出力信号であるマルチキャリア変調信号に付加するための制御信号を出力するガードインターバル付加制御手段と、
前記マルチキャリア変調信号と前記ガードインターバル付加制御手段の制御信号が入力され、ガードインターバル付加制御手段の制御信号に応じてマルチキャリア変調信号を並列直列変換し、かつガードインターバル区間を付加するように出力する並列直列変換手段とを有するマルチキャリア変調方式用送信回路において、
受信信号を取り込み、受信信号と同じ周波数帯域に含まれる他システムからの干渉信号のレベルを検出する干渉信号レベル検出手段と、
前記干渉レベル検出手段の検出出力を取り込み、該検出出力が設定された複数の閾値を時間経過に従い順次超えていく場合に、どの閾値を超えているのかを示す閾値信号を出力する複数閾値手段と、
前記複数閾値手段の出力信号を取り込み、該入力信号毎の干渉期間を検出し、複数回の干渉期間の検出値に基づいて干渉期間の推定も行う複数干渉期間検出推定手段と、
前記複数閾値手段の出力信号を複数回取り込み、一定期間周期で受信する干渉信号の送信周期を検出し、複数回の前記送信周期の検出値に基づいて送信周期の推定も行う干渉信号周期検出推定手段と、
前記複数閾値手段の出力信号と前記干渉信号周期検出推定手段の出力信号を取り込み、前記送信周期より長い一定期間に亙り前記複数閾値手段から前記複数の各閾値を超えたことを示す信号が入力されない場合にはリセット信号を出力する制御手段と、
前記複数干渉期間検出推定手段、干渉信号周期検出推定手段、制御手段及び並列直列変換手段の各出力信号を取り込み、前記送信周期毎に前記干渉期間で示される時間に亙り前記並列直列変換手段の出力信号の送信を停止し、前記リセット信号が入力された場合には、この送信停止の制御を停止し、再び前記並列直列変換手段の出力信号の送信を開始する信号送信手段と、
前記ヌル信号生成手段、直列並列変換手段及びマルチキャリア変調手段の間に設けられた入力切替手段とを有し、
前記入力切替手段は、前記ヌル信号生成手段、複数閾値手段、直列並列変換手段、複数干渉期間検出推定手段、干渉信号周期検出推定手段及び前記制御手段の各出力信号を取り込み、共用する他システムが使用する帯域に相当している前記直列並列変換手段の出力信号について、前記複数干渉期間検出推定手段の出力信号が示す各前記干渉期間に亙り、前記複数閾値手段の出力信号の値が大きくなるに従い、前記直列並列手段の出力信号を前記ヌル信号生成手段の出力信号に置きかえる数を増加するように信号の切り替えを行い、かつ、この操作を前記干渉信号周期検出推定手段の出力信号である前記送信周期に基いて繰り返し行い、前記制御手段の出力信号であるリセット信号が入力された場合には、前記直列並列変換手段の出力信号をそのまま出力することを特徴とするマルチキャリア変調方式用送信回路。
【請求項８】
受信信号が入力され、この受信信号から他システムの各干渉周波数の干渉信号を抽出する干渉周波数選択フィルタ手段と、該干渉周波数選択フィルタ手段により抽出された干渉信号のレベルを検出する干渉信号レベル検出手段と、該干渉レベル検出手段の検出出力を取り込み、該検出出力が設定された複数の閾値を時間経過に従い順次超えていく場合に、どの閾値を超えているのかを示す閾値信号を出力する複数閾値手段と、該複数閾値手段の出力信号を取り込み、該入力信号毎の干渉期間を検出し、複数回の干渉期間の検出値に基づいて干渉期間の推定も行う複数干渉期間検出推定手段と、前記複数閾値手段の出力信号を複数回取り込み、一定期間周期で受信する干渉信号の送信周期を検出し、複数回の前記送信周期の検出値に基づいて送信周期の推定も行う干渉信号周期検出推定手段と、前記複数閾値手段の出力信号と前記干渉信号周期検出推定手段の出力信号を取り込み、前記送信周期より長い一定期間に亙り前記複数閾値手段から前記複数の各閾値を超えたことを示す信号が入力されない場合にはリセット信号を出力する制御手段とからなる干渉期間検出部を、共用する他システムの数ｎに応じてｎ個有すると共に、
前記信号送信手段は、前記ｎ個の各干渉期間検出部における複数干渉期間検出推定手段、干渉信号周期検出推定手段の各出力信号と、前記制御手段からのリセット信号が入力され、前記ｎ個の各干渉期間検出部毎に、前記送信周期で繰り返される前記干渉期間で示される時間に亙り前記並列直列変換手段の出力信号の送信を停止し、前記ｎ個の各干渉期間検出部毎に前記リセット信号が入力された場合には、この送信停止の制御を停止し再び前記並列直列変換手段の出力信号の送信を開始し、
前記入力切替手段は、前記ヌル信号生成手段、前記直列並列変換手段、ｎ個の前記複数閾値手段、ｎ個の前記複数干渉期間検出推定手段、ｎ個の前記干渉信号周期検出推定手段、及びｎ個の前記制御手段の各出力信号が入力され、前記ｎ個の各干渉期間検出部毎に、共用する他システムが使用する帯域に相当している前記直列並列変換手段の出力信号について、前記複数干渉期間検出推定手段の出力信号が示す各前記干渉期間に亙り、前記複数閾値手段の出力信号が示す値が大きくなるに従い、前記直列並列手段の出力信号を前記ヌル信号生成手段の出力信号に置きかえる数を増加するように信号の切り替えを行い、かつこの操作を前記干渉信号周期検出推定手段の出力信号である前記送信周期に基いて繰り返し行い、かつ、前記制御手段の出力信号であるリセット信号が入力された場合には、前記直列並列変換手段の出力信号をそのまま出力することを特徴とする請求項７に記載のマルチキャリア変調方式用送信回路。
【請求項９】
前記干渉期間検出手段の出力信号、あるいは、前記複数干渉期間検出手段の出力信号、あるいは、前記干渉期間検出推定手段と前記干渉信号周期検出推定手段の少なくとも１つの出力信号、あるいは、前記複数干渉期間検出推定手段と前記干渉信号周期検出推定手段の少なくとも１つの出力信号の情報を送信信号として出力する干渉情報送信手段と、
前記信号送信手段と前記干渉情報送信手段の出力信号とが入力され、これらの各入力信号を切替えて出力する切替え手段とを有することを特徴とする請求項１乃至８のいずれかに記載のマルチキャリア変調方式用送信回路。
【請求項１０】
干渉信号の到来方向の利得が高いアンテナ手段を有し、
前記アンテナ手段の出力信号を前記干渉信号レベル検出手段の入力信号とすることを特徴とする請求項１乃至９のいずれかに記載のマルチキャリア変調方式用送信回路。
【請求項１１】
前記干渉信号レベル検出手段の検出出力を取り込み、該検出出力に基づいて干渉信号の到来方向を推定する到来方向推定手段を有し、
前記アンテナ手段は、その指向特性が可変であり、前記到来方向推定手段の出力信号である推定された前記到来方向に従って、その指向特性を制御することを特徴とする請求項１０に記載のマルチキャリア変調方式用送信回路。
【請求項１２】
前記干渉期間検出手段の出力信号、あるいは、前記複数干渉期間検出手段の出力信号、あるいは、前記干渉期間検出推定手段と前記干渉信号周期検出推定手段の少なくとも１つの出力信号、あるいは、前記複数干渉期間検出推定手段と前記干渉信号周期検出推定手段の少なくとも１つの出力信号の情報を送信信号として出力する干渉情報送信手段と、
前記信号送信手段と前記干渉情報送信手段の出力信号が入力され、これらの各入力信号を切替えて出力する切替え手段を有することを特徴とする請求項１０または１１のいずれかに記載のマルチキャリア変調方式用送信回路。
【発明の詳細な説明】
【０００１】
【発明の属する技術分野】
本発明は、マルチキャリア変調方式、例えばＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）を利用するディジタル無線通信システムに用いられる送信回路に関し、特に、同一の送信帯域幅内で大送信電力で送信を行うシステムからの干渉波と共存しながら、相互のシステム間での影響を抑えた時間棲み分けを行うマルチキャリア変調方式用送信回路に関する。
【０００２】
【従来の技術】
マルチキャリア変調方式は複数のサブキャリアを用いて情報伝送する方式である。このマルチキャリア変調方式では、サブキャリアごとに入カデータ信号はＤＱＰＳＫ（Ｄｉｆｆｅｒｅｎｔｉａｌ  ｑｕａｄｒａｔｕｒｅ  ｐｈａｓｅ  ｓｈｉｆｔ  ｋｅｙｉｎｇ）や１６ＱＡＭ（Ｑｕａｄｒａｔｕｒｅ  ａｍｐｌｉｔｕｄｅ  ｍｏｄｕｌａｔｉｏｎ）等の変調方式により変調される。このマルチキャリア変調方式の中で各サブキャリアの周波数が直交関係にある直交マルチキャリア変調方式は、直交周波数分割多重（ＯＦＤＭ：Ｏｒｔｈｏｇｏｎａｌ  ｆｒｅｑｕｅｎｃｙ  ｄｉｖｉｓｉｏｎ  ｍｕｌｔｉｐｌｅｘｉｎｇ）変調方式とも呼ばれ、ＯＦＤＭ信号は逆離散フーリエ変換（Ｉｎｖｅｒｓｅ  ｄｉｓｃｒｅｔｅ  Ｆｏｕｒｉｅｒ  ｔｒａｎｓｆｏｒｍ）回路を用いて高速逆フーリエ変換（ＩＦＦＴ）され、一括生成される。
【０００３】
このＯＦＤＭ信号は、ＩＦＦＴ（高速逆フーリエ変換）出力を順番に読み出して送信されるが、遅延波の影響を除去するため全てのＩＦＦＴ出力を読み出した後に、各サブキャリアの時間波形が連続する様にＩＦＦＴ出力の一部分を読み出し、ＯＦＤＭシンボルの後に付加して送信される。この区間はガードインターバルと呼ばれる。このようにＯＦＤＭ変調方式は連続データをシリアル／パラレル変換することで、シンボル時間長を長くしマルチパスフェージングの影響を低減する。また、ガードインターバルを付加することで遅延波を除去できる特徴を持つ。以上の処理を行うためＯＦＤＭ変調方式は遅延波が存在するマルチパス環境下で優れた特性を有する。
【０００４】
図１６にサブキャリア変調方式に１６ＱＡＭを適用した場合のマルチキャリア変調方式用送信回路を示す（参考文献：物理レイヤの構成、溝口他、ＮＴＴＲ＆Ｄ，ｖｏｌ．４８，Ａｕｇ．１９９９）。図１６において入力信号ｓ１は１６ＱＡＭ変調回路に入力され変調信号ｓ２を得る。変調信号ｓ２は直列並列変換回路２に入力され、サブキャリア変調信号ｓ３を出力する。ヌル信号生成回路３では、Ｉｃｈ、Ｑｃｈともに０の値を持つヌル信号ｓ４を出力する。各サブキャリアごとに分けられたサブキャリア変調信号ｓ３と、ヌル信号ｓ４はＩＦＦＴ（高速逆フーリエ変換）回路４に入力され、ＩＦＦＴ回路４でＯＦＤＭ変調が行われ、ＯＦＤＭ信号ｓ５が出力される。
【０００５】
ここで、ヌル信号はＩＦ（中間周波数）段以上での送信スペクトルの折り返しを避けるために送信帯域幅の帯域両端部に相当するＩＦＦＴポイントに入力される。従来のＩＦＦＴ回路４の具体的な構成を図１７に示す。図１７では６４ポイントＩＦＦＴを用いて５２サブキャリアのＯＦＤＭ信号を生成する場合を示している。入力が０から６３まである、６４ポイントＩＦＦＴ回路４を用いて、５２サブキャリアのＯＦＤＭ変調信号を送信する場合には、０から２５番目の入カポイント、及び３８から６３番目の入力ポイントにサブキャリア変調信号を入力し、それ以外の入カボイントにはヌル信号を入力するように操作を行う。但し、この場合の中心周波数は０ポイントと６３ポイントの中間となる。
【０００６】
ＯＦＤＭ信号ｓ５は並列直列変換回路５に入力され、並列直列変換回路５の読み出し順序を制御するガードインターバル付加制御回路３０の出力信号である制御信号ｓ６も併せて入力され、並列直列変換回路５の読み出し順番を操作し、ＩＦＦＴ回路４の出力信号の一部分を繰り返して読み出したガードインターバルをＯＦＤＭ信号に付加してＯＦＤＭシンボルを生成し、送信信号ｓ７として出力する。
以上に説明したように図１６に示した従来のマルチキャリア変調方式用送信回路では、シリアルデータをパラレルデータに変換することで、見掛け上のシンボル時間長を長くし、かつ、遅延波の影響を抑えるようにガードインターバルを付加する操作を行いＯＦＤＭシンボルを生成している。このような操作を行っているためにＯＦＤＭシンボルを生成するマルチキャリア変調方式としてのＯＦＤＭ変調方式は、遅延波が生じるマルチパス環境下で優れた特性を有する。
【０００７】
【発明が解決しようとする課題】
前述した様にマルチパス環境下での通信においてＯＦＤＭ変調方式は優れた特性を有するため、屋内、屋外を問わずマルチパスを考慮しなければならない通信システムにおいてよく使用される。しかし、マルチパス以外に屋外での通信では、ＯＦＤＭ変調方式を用いた通信システムが使用している、あるいは使用しようとしている送信帯域幅内に他システムからの干渉信号が加わることが予想される。
ＯＦＤＭ変調方式を用いた通信システムの送信帯域幅内に、他システムからの干渉信号が加わった場合には、ＯＦＤＭ信号は著しい特性劣化を受ける。この場合、他システムの干渉信号がＯＦＤＭ信号を受信している通信局へ干渉を与える被干渉の問題が生じていると言える。
【０００８】
また、逆に他システム側の立場に立ってみると、この通信システムからのＯＦＤＭ信号が他システムの受信局で信号を受信する場合に干渉となり、ＯＦＤＭ変調方式を用いている通信システムから他システムヘの与干渉となる。
以上の様な、同一の周波数を含む送信帯域幅内で２つのシステムの共用を図る場合には、通信システム側、他システム側ともに受信信号の特性が劣化する問題が生じる。
【０００９】
送信帯域幅内で相互に干渉を及ぼす通信システムと他システムの共存を考慮しなければならない１つの例として、屋外において基地局と固定加入者局間とで通信を行う固定無線アクセス（ＦＷＡ：Ｆｉｘｅｄ  Ｗｉｒｅｌｅｓｓ  Ａｃｃｅｓｓ）がある。ＦＷＡではマルチパスフェージングが問題となるためＯＦＤＭ変調方式の適用が検討されている。屋外の通信では、ＯＦＤＭ変調方式を用いている通信システム側にとって、干渉源となる様々な他システムが存在し信号を送信する期間も送信周期も変動するため、上述した様な、通信システムと干渉システムとの間で、相互に干渉を及ぼし合う与干渉、被干渉の問題が生じることになる。
【００１０】
この干渉源の１つに気象レーダがある。気象レーダの送信出力は非常に大きく約２５０ｋＷ（約８４ｄＢｍ）にもなるため被干渉の影響は著しい。気象レーダは通常、指向性の鋭いパラボラアンテナ等を一定周期で回転させながら使用して、数マイクロ秒の幅を持ったパルス信号を１秒間に数百回、目標物に向かって送信し、その反射波を受信して処理することによって目標物を正確に捕捉する。
また、気象レーダでは目標物の捕捉を行うための反射波が重要な役割を果たしているので、その反射波を受信する区間では、通信システム側からの信号による与干渉の影響も低減する必要がある。
【００１１】
以上、ＯＦＤＭ変調方式を用いた通信システムと他システムが同一の送信周波数を含む送信帯域幅内で共存するためには、相互のシステム間での被干渉、与干渉の問題をともに解決する必要がある。
本発明では、これらの問題を解決し大送信電力で送信を行う他システムが存在する下で、ＯＦＤＭ変調方式を用いて通信を行う場合に被干渉及び与干渉の影響を抑制し、かつ相互のシステム間での特性劣化の抑制を図ったマルチキャリア変調方式用送信回路を提供することを目的とする。
【００１２】
【課題を解決するための手段】
従来の構成では、ＯＦＤＭ変調方式を用いた通信システムが送信する同一送信帯域幅において、他システムからの干渉が加わった場合には相互のシステム間での与干渉、被干渉が生じ特性が劣化する問題があった。
そこで、本発明では、通信システムから他システムヘの与干渉を低減するために、他システムが使用する帯域に相当するＩＦＦＴ回路の入力にヌル信号を用いたＯＦＤＭ変調を行う。よってＯＦＤＭ信号から他システム信号への影響を低減でき与干渉の問題を解決し、かつ他システム信号からＯＦＤＭ信号への被干渉の問題も併せて解決している。
この状態を図１３を参照して説明する。図１３では、ＯＦＤＭ信号の中心周波数を他システムが送信する中心周波数に一致させている場合を示しており、複数のセンターサブキャリア付近のサブキャリアを使用しないＯＦＤＭ信号を生成し、他システムの信号との共存を図る様子を示している。
【００１３】
上記目的を達成するために、請求項１に記載の発明は、送信データを取り込み、サブキャリア変調を行うサブキャリア変調手段と、前記サブキャリア変調手段の出力信号であるサブキャリア変調信号に対して直列並列変換を行う直列並列変換手段と、実数信号成分及び虚数信号成分の値が共に０であるヌル信号を出力するヌル信号生成手段と、前記直列並列変換手段の出力信号と前記ヌル信号生成手段の出力信号が入力され、前記ヌル信号生成手段の出力信号がマルチキャリア変調信号における両端の複数のサブキャリア信号として入力された状態でマルチキャリア変調を行うマルチキャリア変調手段と、ガードインターバルを前記マルチキャリア変調手段の出力信号であるマルチキャリア変調信号に付加するための制御信号を出力するガードインターバル付加制御手段と、前記マルチキャリア変調信号と前記ガードインターバル付加制御手段の制御信号が入力され、ガードインターバル付加制御手段の制御信号に応じてマルチキャリア変調信号を並列直列変換し、かつガードインターバル区間を付加するように出力する並列直列変換手段とを有し、前記マルチキャリア変調手段は、共用する他システムが使用する帯域に相当する入力信号として前記サブキャリア信号の代りに前記ヌル信号生成手段の出力信号を取り込み、マルチキャリア変調を行うとともに、さらに、受信信号を取り込み、受信信号と同じ周波数帯域に含まれる他システムからの干渉信号のレベルを検出する干渉信号レベル検出手段と、前記干渉信号レベル検出手段の検出出力を取り込み、該検出出力が設定された閾値を超えた場合には閾値を超えたことを示す信号を出力する閾値手段と、前記閾値手段の出力信号を取り込み、前記干渉信号が一定の閾値以上で受信される他システムの干渉期間を検出する干渉期間検出手段と、前記干渉期間検出手段と前記並列直列変換手段の各出力信号を取り込み、前記干渉期間で示される時間に亙り送信を停止する制御を行う信号送信手段とを有することを特徴としている。
【００１４】
請求項１に記載の発明では、他システムが使用する帯域に相当する複数のサブキャリアを使用しなようにしたので、OFDM変調方式を用いた通信システムから干渉システムヘの与干渉を低減し、かつ通信システムが他システムから受ける被干渉の影響を低減することができる。
また、請求項１に記載の発明によれば、通信システムから送信する前に、受信信号レベルから干渉波の存在を検出してOFDM変調方式の送信を一定期間停止する。このキャリアセンスを行い信号の衝突を避けることで、通信システムと干渉システムとの間の被干渉及び与干渉を低減し上述した問題を解決している。請求項２では、受信信号に対して干渉信号レベルに基いたキャリアセンスを行いOFDM変調方式が送信したいタイミングで送信周波数帯域が干渉局に使われているか、否かを送信前に判断し衝突を回避することで、干渉システムとの時間棲み分けを実現している。また、送信を停止する期間の設定は任意に行うことも当然可能である。
干渉信号用の閾値を設定し、この閾値を超えた干渉信号が受信されている干渉期間を検出し、この区間ではOFDM変調方式は送信を行うのを停止する。この停止操作を行うことで、相互のシステム間の与干渉、及び被干渉の影響を軽減することが可能である。これら干渉信号の干渉期間等の情報を検出する手段については、基地局のみに備え加入者局には検出情報を通知する場合や、全ての局で干渉期間等の情報を検出する請求項２に記載したような手段を備える場合が考えられる。
【００１８】
また、請求項２に記載の発明は、送信データを取り込み、サブキャリア変調を行うサブキャリア変調手段と、前記サブキャリア変調手段の出力信号であるサブキャリア変調信号に対して直列並列変換を行う直列並列変換手段と、実数信号成分及び虚数信号成分の値が共に０であるヌル信号を出力するヌル信号生成手段と、  前記直列並列変換手段の出力信号と前記ヌル信号生成手段の出力信号が入力され、前記ヌル信号生成手段の出力信号がマルチキャリア変調信号における両端の複数のサブキャリア信号として入力された状態でマルチキャリア変調を行うマルチキャリア変調手段と、ガードインターバルを前記マルチキャリア変調手段の出力信号であるマルチキャリア変調信号に付加するための制御信号を出力するガードインターバル付加制御手段と、前記マルチキャリア変調信号と前記ガードインターバル付加制御手段の制御信号が入力され、ガードインターバル付加制御手段の制御信号に応じてマルチキャリア変調信号を並列直列変換し、かつガードインターバル区間を付加するように出力する並列直列変換手段とを有し、
前記マルチキャリア変調手段は、共用する他システムが使用する帯域に相当する入力信号として前記サブキャリア信号の代りに前記ヌル信号生成手段の出力信号を取り込み、マルチキャリア変調を行うとともに、さらに、
受信信号を取り込み、受信信号から他システムにおける干渉周波数の干渉信号を抽出する干渉周波数選択フィルタ手段と、該干渉周波数選択フィルタ手段により抽出された干渉信号のレベルを検出する干渉信号レベル検出手段と、該干渉信号レベル検出手段の検出出力を取り込み、該検出出力が設定された閾値を超えた場合には閾値を超えたことを示す信号を出力する閾値手段と、 前記閾値手段の出力信号を取り込み、前記干渉信号が一定の閾値以上で受信される他システムの干渉期間を検出する干渉期間検出手段とからなる干渉期間検出部を、共用を想定した他システムの数ｎに応じてｎ個有すると共に、
前記信号送信手段は、前記ｎ個の各干渉期間検出部における干渉期間検出手段の出力信号と、前記並列直列変換手段の出力信号を取り込み、ｎ個の各干渉期間検出部毎に前記干渉期間で示される時間に亙り前記並列直列変換手段の出力信号の送信を停止するように制御することを特徴とする。
【００１９】
請求項２に記載の発明によれば、干渉信号の干渉期間検出手段を複数備えるために、他システムからの複数の干渉局が存在する場合に対して送信停止制御を行うことが可能である。OFDM信号を送信する通信局に複数の干渉局による干渉信号が加わった場合にも、相互の与干渉、被干渉の影響を抑制することが可能となる。
【００２０】
また、請求項３に記載の発明は、送信データを取り込み、サブキャリア変調を行うサブキャリア変調手段と、前記サブキャリア変調手段の出力信号であるサブキャリア変調信号に対して直列並列変換を行う直列並列変換手段と、実数信号成分及び虚数信号成分の値が共に０であるヌル信号を出力するヌル信号生成手段と、前記直列並列変換手段の出力信号と前記ヌル信号生成手段の出力信号が入力され、前記ヌル信号生成手段の出力信号がマルチキャリア変調信号における両端の複数のサブキャリア信号として入力された状態でマルチキャリア変調を行うマルチキャリア変調手段と、ガードインターバルを前記マルチキャリア変調手段の出力信号であるマルチキャリア変調信号に付加するための制御信号を出力するガードインターバル付加制御手段と、前記マルチキャリア変調信号と前記ガードインターバル付加制御手段の制御信号が入力され、ガードインターバル付加制御手段の制御信号に応じてマルチキャリア変調信号を並列直列変換し、かつガードインターバル区間を付加するように出力する並列直列変換手段とを有し、前記マルチキャリア変調手段は、共用する他システムが使用する帯域に相当する入力信号として前記サブキャリア信号の代りに前記ヌル信号生成手段の出力信号を取り込み、マルチキャリア変調を行うととともに、さらに、
受信信号を取り込み、受信信号と同じ周波数帯域に含まれる他システムからの干渉信号のレベルを検出する干渉信号レベル検出手段と、前記干渉信号レベル検出手段の検出出力を取り込み、該検出出力が設定された閾値を超えた場合には閾値を超えたことを示す信号を出力する閾値手段と、前記閾値手段の出力信号を取り込み、干渉信号が一定の閾値以上で受信される他システムの干渉期間を検出し、複数回の干渉期間の検出値に基いて干渉期間の推定も行う干渉期間検出推定手段と、前記閾値手段の出力信号を複数回取り込み、一定期間周期で受信される干渉信号の送信周期を検出し、複数回の前記送信周期の検出値に基いて送信周期の推定も行う干渉信号周期検出推定手段と、前記閾値手段の出力信号と前記干渉信号周期検出推定手段の出力信号を取り込み、前記送信周期より長い一定期間に亙り前記閾値手段から前記閾値を超えたことを示す信号が入力されない場合にはリセット信号を出力する制御手段と、前記干渉期間検出推定手段、干渉信号周期検出推定手段、制御手段及び並列直列変換手段の各出力信号を取り込み、前記送信周期ごとに前記干渉期間で示される時間に亙り、前記並列直列変換手段の出力信号の送信を停止し、前記リセット信号が入力された場合には、この送信停止の制御を停止し、再び前記並列直列変換手段の出力信号の送信を開始する信号送信手段とを有することを特徴とする。
【００２１】
請求項３に記載の発明では、送信停止の制御を開始した時点では、検出する値を用いるが、複数回の検出値が得られた後、平均処理を行い、この検出値に応じて干渉期間や送信周期の推定値を得ることを特徴としている（請求項２では干渉期間を毎回検出した値に応じて送信停止の制御を行っていた。）。もちろん、干渉期間、及び送信周期に現時点の値を用いることも当然可能である。また、送信を停止する期間の設定は任意に行うことも当然可能である。そして、一定の期間に渡り干渉信号が到来しない場合には送信停止の制御を停止させる。この制御は以下の様な場合に効果がある。干渉システムとして気象レーダを考えた場合には、気象レーダは常にレーダ信号を常に送信している訳ではなく、観測をする場合のみ送信を行う。また、常に一定の仰角ではなく、仰角を変化させながら高域な範囲の気象情報を収集するように動作する。従って、OFDM変調方式の通信局に一定の周期で干渉信号が到来していたとしても、有る期間経過した後には、干渉信号の影響が減少している場合がある。このように与干渉を与える他システムの送信条件が変化するために、通信システムが他システムから受ける干渉の期間や周期が変動する場合に効果がある。
【００２２】
また、請求項４に記載の発明は、送信データを取り込み、サブキャリア変調を行うサブキャリア変調手段と、前記サブキャリア変調手段の出力信号であるサブキャリア変調信号に対して直列並列変換を行う直列並列変換手段と、実数信号成分及び虚数信号成分の値が共に０であるヌル信号を出力するヌル信号生成手段と、前記直列並列変換手段の出力信号と前記ヌル信号生成手段の出力信号が入力され、前記ヌル信号生成手段の出力信号がマルチキャリア変調信号における両端の複数のサブキャリア信号として入力された状態でマルチキャリア変調を行うマルチキャリア変調手段と、ガードインターバルを前記マルチキャリア変調手段の出力信号であるマルチキャリア変調信号に付加するための制御信号を出力するガードインターバル付加制御手段と、前記マルチキャリア変調信号と前記ガードインターバル付加制御手段の制御信号が入力され、ガードインターバル付加制御手段の制御信号に応じてマルチキャリア変調信号を並列直列変換し、かつガードインターバル区間を付加するように出力する並列直列変換手段とを有し、
前記マルチキャリア変調手段は、共用する他システムが使用する帯域に相当する入力信号として前記サブキャリア信号の代りに前記ヌル信号生成手段の出力信号を取り込み、マルチキャリア変調を行うととともに、さらに、
受信信号が入力され、この受信信号から他システムの各干渉周波数の干渉信号を抽出する干渉周波数選択フィルタ手段と、該干渉周波数選択フィルタ手段により抽出された干渉信号のレベルを検出する干渉信号レベル検出手段と、前記干渉信号レベル検出手段の検出出力を取り込み、該検出出力が設定された閾値を超えた場合には閾値を超えたことを示す信号を出力する閾値手段と、前記閾値手段の出力信号を取り込み、干渉信号が一定の閾値以上で受信される他システムの干渉期間を検出し、複数回の干渉期間の検出値に基いて干渉期間の推定も行う干渉期間検出推定手段と、前記閾値手段の出力信号を複数回取り込み、一定期間周期で受信される干渉信号の送信周期を検出し、複数回の前記送信周期の検出値に基いて送信周期の推定も行う干渉信号周期検出推定手段と、前記閾値手段の出力信号と前記干渉信号周期検出推定手段の出力信号を取り込み、前記送信周期より長い一定期間に亙り前記閾値手段から前記閾値を超えたことを示す信号が入力されない場合にはリセット信号を出力する制御手段とからなる干渉期間検出部を、共用を想定した他システム数ｎに応じてｎ個有すると共に、
前記ｎ個の各干渉期間検出部における前記干渉期間検出推定手段、干渉信号周期検出推定手段の各出力信号、及び前記制御手段から出力されるリセット信号を取り込み、干渉期間検出手段の出力信号と、前記並列直列変換手段の出力信号を取り込み、前記ｎ個の各干渉期間検出部毎に前記干渉期間で示される時間に亙り前記並列直列変換手段の出力信号の送信を停止し、前記リセット信号が入力された場合には、この送信停止の制御を停止し再び前記並列直列変換手段の出力信号の送信を開始する信号送信手段を有することを特徴とする。
【００２３】
請求項４に記載の発明では、請求項３に示した干渉信号の干渉期間検出推定手段、送信周期検出推定手段、送信停止制御を解除する制御手段を複数有するために、他システムからの複数の干渉局に対して送信停止制御を行うことが可能である。OFDM信号を送信する通信局に複数の干渉局の干渉信号が加わった場合にも、相互の与干渉、被干渉の影響を抑えることが可能であり、かつ、与干渉を与える他システムの送信の条件が変化して、通信システムが他システムから受ける干渉の期間や周期が変動する場合に効果がある。
【００２４】
以下では、共用を図る他システムの帯域に相当する複数のサブキャリアに一意にヌル信号を用いるのではなく、他システムからの干渉信号に対してキャリアセンスを行い、この受信レベルに応じて、適応的にヌル信号が入力されるサブキャリアの数を変化させ、相互のシステム間の共用を図る構成も考えられる。例えば、両システム間で影響を及ぼす関係が時間的に変化する場合には、以下の様な制御が可能である。
【００２５】
干渉信号からの与干渉、被干渉が少ないと判断された受信レベルでは、ヌル信号はスペクトルのエイリアスを抑えるためだけに使用し、その他のサブキャリアの全ては送信データを送る目的に用いる。干渉信号の受信レベルが上昇するに従って、共用を図る帯域に使用するヌル信号を用いたサブキャリアの数を適応的に増やして行く。さらに干渉信号の受信レベルが上がった場合には、ＯＦＤＭ信号の送信を停止する操作を行う。この様子を図１４、図１５に示す。図１４では、干渉システムには、指向性アンテナを用いて回転しながら送信を行う気象レーダ等を想定している。通信システムの通信局には、干渉システムの通信局が回転しながら送信を行うため干渉波の受信レベルの異なるエリアＡ、Ｂ、Ｃが時間的に周期的に到来する。これを時間的に表現したものが図１５である。
【００２６】
干渉信号のキャリアセンスを行い、受信レベルがエリアＣ、Ｂ、Ａと徐々に大きくなっていく場合に、閾値ＢＣ、閾値ＡＢを設定し、例えば、５２サブキャリアで情報伝送を行うＯＦＤＭ変調方式の場合には、この各閾値を境界に、エリアＣでは、５２サブキャリア全てを情報伝送に用いる。エリアＢでは、干渉システムが使用する帯域に相当するサブキャリアが４と仮定すると、４つのヌル信号をマルチキャリア変調手段に入力し、４８サブキャリアで情報伝送を行う。最も、干渉信号の受信電力が大きいエリアＡでは、送信を停止する。以上の送信制御を行う。この様に送信停止を行う以外に、受信レベルに応じて送信するサブキャリア数を変化させることで干渉信号受信レベルに応じた適応的な送信が可能になる。図１４、図１５では、一つの例として、エリアＢでは、４８情報サブキャリア＋４ヌルサブキャリアを用いて情報伝送を行い、エリアＣでは全てのサブキャリアを用いて情報伝送を行う場合を示したが、もちろん、情報伝送に用いるサブキャリア数は、任意に設定が可能であり、閾値も任意の複数個用いて干渉信号の受信レベルヘの適応性を高めた構成は当然可能である。
【００２７】
また、請求項５に記載の発明は、送信データを取り込み、サブキャリア変調を行うサブキャリア変調手段と、前記サブキャリア変調手段の出力信号であるサブキャリア変調信号が入力され、この信号に対して直列並列変換を行う直列並列変換手段と、実数信号成分及び虚数信号成分の値が共に０であるヌル信号を出力するヌル信号生成手段と、前記直列並列変換手段の出力信号と前記ヌル信号生成手段の出力手段が入力され、前記ヌル信号生成手段の出力信号は、マルチキャリア変調信号における両端の複数のサブキャリア信号として入力された状態でマルチキャリア変調を行うマルチキャリア変調手段と、ガードインターバルを前記マルチキャリア変調手段の出力信号であるマルチキャリア変調信号に付加するための制御信号を出力するガードインターバル付加制御手段と、前記マルチキャリア変調信号と前記ガードインターバル付加制御手段の制御信号が入力され、ガードインターバル付加制御手段の制御信号に応じてマルチキャリア変調信号を並列直列変換し、かつガードインターバル区間を付加するように出力する並列直列変換手段とを備えるマルチキャリア変調方式用送信回路において、受信信号を取り込み、受信信号と同じ周波数帯域に含まれる他システムからの干渉信号レベルを検出する干渉信号レベル検出手段と、前記干渉信号レベル検出手段の検出出力を取り込み、該検出出力が設定された複数の閾値を時間経過に従い順次超えていく場合に、どの閾値を超えているのかを示す閾値信号を出力する複数閾値手段と、前記複数閾値手段の出力信号が入力され、該入力信号毎の干渉期間を検出する複数干渉期間検出手段と、前記複数干渉期間検出手段及び前記並列直列変換手段の出力信号を取り込み、ある特定の前記閾値を超えている前記閾値信号に基いた前記干渉期間で示される時間に亙り前記並列直列変換手段の出力信号の送信を停止するように制御する信号送信手段と、前記ヌル信号生成手段、直列並列変換手段及びマルチキャリア変調手段の間に設けられた入力切替手段とを有し、
前記入力切替手段は、前記ヌル信号生成手段、複数閾値手段、直列並列変換手段及び前記複数干渉期間検出手段の各出力信号を取り込み、共用する他システムが使用する帯域に相当している前記直列並列変換手段の出力信号について、前記複数干渉期間検出手段の出力信号が示す前記各干渉期間に渡り、前記複数閾値手段の出力信号の値が大きくなるに従い、前記直列並列手段の出力信号を前記ヌル信号生成手段の出力信号に置き換える数を増加するように信号の切り替えを行うことを特徴とする。
【００２８】
請求項５に記載の発明によれば、干渉信号の受信レベルを検出し、受信レベルが高くなるに従い、ヌル信号を用いるサブキャリア数を増加させる操作を行い、情報伝送に用いるサブキャリア数を適応的に変化させ、かつ、ある設定された閾値以上の干渉信号の入力があった場合には送信を停止する制御を行うために、相互の与干渉、被干渉の影響を抑えることが可能である。また、送信を停止する期間の設定は任意に行うことも当然可能である。
【００２９】
また、請求項６に記載の発明は、請求項５に記載のマルチキャリア変調方式用送信回路において、受信信号を取り込み、受信信号から他システムにおける干渉周波数の干渉信号を抽出する干渉周波数選択フィルタ手段と、該干渉周波数選択フィルタにより抽出された干渉信号レベルを検出する干渉信号レベル検出手段と、  前記干渉信号レベル検出手段の検出出力を取り込み、該検出出力が設定された複数の閾値を時間経過に従い順次超えていく場合に、どの閾値を超えているのかを示す閾値信号を出力する複数閾値手段と、前記複数閾値手段の出力信号が入力され、該入力信号毎の干渉期間を検出する複数干渉期間検出手段とからなる干渉期間検出部を、共用を想定した他システムの数ｎに応じてｎ個有すると共に、
前記信号送信手段は、前記ｎ個の各干渉期間検出部における複数干渉期間検出手段の出力信号と、前記並列直列変換手段の出力信号とを取り込み、前記ｎ個の各干渉期間検出部毎に、ある特定の前記閾値を超えている前記閾値信号に基いた前記干渉期間で示される時間に亙り前記並列直列変換手段の出力信号の送信を停止するように制御し、
前記入力切替手段は、前記ヌル信号生成手段、前記直列並列変換手段、ｎ個の前記複数閾値手段及びｎ個の前記複数干渉期間検出手段の各出力信号が入力され、ｎ個の各干渉期間検出部毎に、共用する他システムが使用する帯域に相当している前記直列並列変換手段の出力信号について、前記複数干渉期間検出手段の出力信号が示す各前記干渉期間に亙り、ｎ個の前記複数閾値手段の出力信号が示す各値が大きくなるに従い、前記直列並列手段の出力信号を前記ヌル信号生成手段の出力信号に置きかえる数を増加するように信号の切り替えを行うことを特徴とする。
【００３０】
請求項６に記載の発明によれば、干渉期間検出部を、共用を想定した他システムの数ｎに応じてｎ個有し、干渉信号の受信レベルを検出し、該干渉信号の受信レベルが高くなるに従い、ヌル信号を用いるサブキャリア数を増加させる操作を行い、情報伝送に用いるサブキャリア数を適応的に変化させ、かつ、ある設定された閾値以上のレベルの干渉信号が入力された場合には送信を停止する制御を行うようにしたので、他システムからの複数の干渉局に対して送信停止制御を行うことが可能となる。
【００３１】
また、請求項７に記載の発明は、送信データを取り込み、サブキャリア変調を行うサブキャリア変調手段と、前記サブキャリア変調手段の出力信号であるサブキャリア変調信号に対して直列並列変換を行う直列並列変換手段と、実数信号成分及び虚数信号成分の値が共に０であるヌル信号を出力するヌル信号生成手段と、  前記直列並列変換手段の出力信号と前記ヌル信号生成手段の出力手段が入力され、前記ヌル信号生成手段の出力信号がマルチキャリア変調信号における両端の複数のサブキャリア信号として入力された状態でマルチキャリア変調を行うマルチキャリア変調手段と、ガードインターバルを前記マルチキャリア変調信号の出力信号であるマルチキャリア変調信号に付加するための制御信号を出力するガードインターバル付加制御手段と、前記マルチキャリア変調信号と前記ガードインターバル付加制御手段の制御信号が入力され、ガードインターバル付加制御手段の制御信号に応じてマルチキャリア変調信号を並列直列変換し、かつガードインターバル区間を付加するように出力する並列直列変換手段とを有するマルチキャリア変調方式用送信回路において、
受信信号を取り込み、受信信号と同じ周波数帯域に含まれる他システムからの干渉信号のレベルを検出する干渉信号レベル検出手段と、前記干渉レベル検出手段の検出出力を取り込み、該検出出力が設定された複数の閾値を時間経過に従い順次超えていく場合に、どの閾値を超えているのかを示す閾値信号を出力する複数閾値手段と、前記複数閾値手段の出力信号を取り込み、前記閾値信号から干渉信号が一定の閾値以上で受信される他システムからの干渉期間を検出し、複数回の干渉期間の検出値に基づいて干渉期間の推定も行う複数干渉期間検出推定手段と、前記複数閾値手段の出力信号を複数回取り込み、一定期間周期で受信する干渉信号の送信周期を検出し、複数回の前記送信周期の検出値に基づいて送信周期の推定も行う干渉信号周期検出推定手段と、前記複数閾値手段の出力信号と前記干渉信号周期検出推定手段の出力信号を取り込み、前記送信周期より長い一定期間に亙り前記複数閾値手段から前記複数の各閾値を超えたことを示す信号が入力されない場合にはリセット信号を出力する制御手段と、前記複数干渉期間検出推定手段、干渉信号周期検出推定手段、制御手段及び並列直列変換手段の各出力信号を取り込み、前記送信周期毎に前記干渉期間で示される時間に亙り前記並列直列変換手段の出力信号の送信を停止し、前記リセット信号が入力された場合には、この送信停止の制御を停止し、再び前記並列直列変換手段の出力信号の送信を開始する信号送信手段と、前記ヌル信号生成手段、直列並列変換手段及びマルチキャリア変調手段の間に設けられた入力切替手段とを有し、
前記入力切替手段は、前記ヌル信号生成手段、複数閾値手段、直列並列変換手段、複数干渉期間検出推定手段、干渉信号周期検出推定手段及び前記制御手段の各出力信号を取り込み、共用する他システムが使用する帯域に相当している前記直列並列変換手段の出力信号について、前記複数干渉期間検出推定手段の出力信号が示す各前記干渉期間に亙り、前記複数閾値手段の出力信号の値が大きくなるに従い、前記直列並列手段の出力信号を前記ヌル信号生成手段の出力信号に置きかえる数を増加するように信号の切り替えを行い、かつ、この操作を前記干渉信号周期検出推定手段の出力信号である前記送信周期に基いて繰り返し行い、前記制御手段の出力信号であるリセット信号が入力された場合には、前記直列並列変換手段の出力信号をそのまま出力することを特徴とする。
【００３２】
請求項７に記載の発明によれば、送信停止の制御を開始した時点では干渉期間を検出した値を用いるが、複数回の干渉期間の検出値が得られた後、平均処理を行い、この平均処理により得られた検出値に応じて干渉期間や送信周期の推定値を得るようにしたので、与干渉を与える他システムの送信の条件が変化するために、通信システムが他システムからの影響を受ける期間や周期が変動する場合に効果がある。
もちろん、請求項５に記載の発明の様に、干渉期間を検出する毎に毎回、干渉期間の検出値をそのまま送信停止制御に使用することも可能である。また、送信を停止する期間の設定は任意に行うことも当然可能である。
【００３３】
また、請求項８に記載の発明は、請求項７に記載のマルチキャリア変調方式用送信回路において、受信信号が入力され、この受信信号から他システムの各干渉周波数の干渉信号を抽出する干渉周波数選択フィルタ手段と、該干渉周波数選択フィルタ手段により抽出された干渉信号のレベルを検出する干渉信号レベル検出手段と、該干渉レベル検出手段の検出出力を取り込み、該検出出力が設定された複数の閾値を時間経過に従い順次超えていく場合に、どの閾値を超えているのかを示す閾値信号を出力する複数閾値手段と、該複数閾値手段の出力信号を取り込み、前記閾値信号から干渉信号が一定の閾値以上で受信される他システムからの干渉期間を検出し、複数回の干渉期間の検出値に基づいて干渉期間の推定も行う複数干渉期間検出推定手段と、前記複数閾値手段の出力信号を複数回取り込み、一定期間周期で受信する干渉信号の送信周期を検出し、複数回の前記送信周期の検出値に基づいて送信周期の推定も行う干渉信号周期検出推定手段と、前記複数閾値手段の出力信号と前記干渉信号周期検出推定手段の出力信号を取り込み、前記送信周期より長い一定期間に亙り前記複数閾値手段から前記複数の各閾値を超えたことを示す信号が入力されない場合にはリセット信号を出力する制御手段とからなる干渉期間検出部を、共用する他システムの数ｎに応じてｎ個有すると共に、
前記信号送信手段は、前記ｎ個の各干渉期間検出部における複数干渉期間検出推定手段、干渉信号周期検出推定手段の各出力信号と、前記制御手段からのリセット信号が入力され、前記ｎ個の各干渉期間検出部毎に、前記送信周期で繰り返される前記干渉期間で示される時間に亙り前記並列直列変換手段の出力信号の送信を停止し、前記ｎ個の各干渉状態検出手段毎に前記リセット信号が入力された場合には、この送信停止の制御を停止し再び前記並列直列変換手段の出力信号の送信を開始し、
前記入力切替手段は、前記ヌル信号生成手段、前記直列並列変換手段、ｎ個の前記複数閾値手段、ｎ個の前記複数干渉期間検出推定手段、ｎ個の前記干渉信号周期検出推定手段、及びｎ個の前記制御手段の各出力信号が入力され、前記ｎ個の各干渉状態検出手段毎に、共用する他システムが使用する帯域に相当している前記直列並列変換手段の出力信号について、前記複数干渉期間検出推定手段の出力信号が示す各前記干渉期間に亙り、前記複数閾値手段の出力信号が示す値が大きくなるに従い、前記直列並列手段の出力信号を前記ヌル信号生成手段の出力信号に置きかえる数を増加するように信号の切り替えを行い、かつこの操作を前記干渉信号周期検出推定手段の出力信号である前記送信周期に基いて繰り返し行い、かつ、前記制御手段の出力信号であるリセット信号が入力された場合には、前記直列並列変換手段の出力信号をそのまま出力することを特徴とする。
【００３４】
請求項８に記載の発明によれば、請求項７の説明に記述されている様な与干渉を与える他システムの送信の条件が変化するために、通信システムが他システムから受ける干渉の期間や周期が変動する場合に有効であるという効果に加え、他システムの複数の局にそれぞれに対応させた複数の干渉期間検出部を備えているために、複数の干渉局に対して送信停止制御を行うことが可能となる。
【００３５】
また、請求項９に記載の発明は、請求項１乃至８のいずれかに記載のマルチキャリア変調方式用送信回路において、前記干渉期間検出手段の出力信号、あるいは、前記複数干渉期間検出手段の出力信号、あるいは、前記干渉期間検出推定手段と前記干渉信号周期検出推定手段の少なくとも１つの出力信号、あるいは、前記複数干渉期間検出推定手段と前記干渉信号周期検出推定手段の少なくとも１つの出力信号の情報を送信信号として出力する干渉情報送信手段と、前記信号送信手段と前記干渉情報送信手段の出力信号とが入力され、これらの各入力信号を切替えて出力する切替え手段とを有することを特徴とする。
【００３６】
請求項９に記載の発明によれば、請求項１から請求項８のいずれかに記載の発明で検出または推定された干渉信号の干渉期間、あるいは送信周期を他局に通知する手段を有するので、干渉を及ぼす他システムが通信システムに影響を及ぼす干渉期間、送信周期の情報を他局に通知することにより、例えば、基地局が送信停止を行う期間や周期を加入者局が知ることが可能になる。
また、加入者局が送信する場合には送信停止を行う期間やその周期を、これらの通知情報に基いて適切に判断することが可能となる。
【００３７】
また、請求項１０に記載の発明は、請求項１乃至９のいずれかに記載のマルチキャリア変調方式用送信回路において、干渉信号の到来方向の利得が高いアンテナ手段を有し、前記アンテナ手段の出力信号を前記干渉信号レベル検出手段の入力信号とすることを特徴とする。
【００３８】
請求項１０に記載の発明によれば、干渉信号の大きな受信電力が得られる方向にアンテナの指向性を向けるようにしたので、請求項１乃至９のいずれかに記載した発明に適用することで干渉信号の干渉期間や送信周期を高精度に検出や推定することが可能になる。この指向性アンテナの指向性を向ける方向は、干渉信号の発生源方向とは限らずに、干渉信号の反射波による受信電力が大きい方向に向ける場合も当然考えられる。また、複数の他システム干渉局に対応させるためには、複数の指向性アンテナを用いる場合ももちろん可能である。
【００３９】
また、請求項１１に記載の発明は、請求項１０に記載のマルチキャリア変調方式用送信回路において、前記干渉信号レベル検出手段の検出出力を取り込み、該検出出力に基づいて干渉信号の到来方向を推定する到来方向推定手段を有し、前記アンテナ手段は、その指向特性が可変であり、前記到来方向推定手段の出力信号である推定された前記到来方向に従って、その指向特性を制御することを特徴とする。
【００４０】
請求項１１に記載の発明によれば、大きな受信電力で干渉信号が受信される方向が変動する場合に、請求項６の手段に加えて到来角方向推定演算を行う手段を用いて、干渉信号受信電力が大きい方向を推定する。この手段により適応的に受信電力の大きな方向にアンテナの指向性を向けることが可能になるために、高精度に干渉信号の干渉期間や送信周期を検出、推定することが可能になる。また、複数の他システム干渉局に対応させるためには、複数の指向性アンテナを用いる場合もちろん可能である。
【００４１】
また、請求項１２に記載の発明は、請求項１０または１１のいずれかに記載のマルチキャリア変調方式用送信回路において、前記干渉期間検出手段の出力信号、あるいは、前記複数干渉期間検出手段の出力信号、あるいは、前記干渉期間検出推定手段と前記干渉信号周期検出推定手段の少なくとも１つの出力信号、あるいは、前記複数干渉期間検出推定手段と前記干渉信号周期検出推定手段の少なくとも１つの出力信号の情報を送信信号として出力する干渉情報送信手段と、前記信号送信手段と前記干渉情報送信手段の出力信号が入力され、これらの各入力信号を切替えて出力する切替え手段を有することを特徴とする。
【００４２】
請求項１２に記載の発明によれば、請求項１０または１１のいずれかに記載の発明で検出または推定された干渉信号の干渉期間、あるいは送信周期を他局に通知する手段を有するので、干渉を及ぼす他システムが通信システムに影響を及ぼす干渉期間、送信周期の情報を他局に通知することにより、例えば、基地局が送信停止を行う期間や周期を加入者局が知ることが可能になる。
また、加入者局が送信する場合には送信停止を行う期間やその周期を、これらの通知情報に基いて適切に判断することが可能となる。
【００４３】
以上、本発明の全ての請求項に係る発明では、ＯＦＤＭ変調方式において共用を図る他システムの帯域に相当する複数のサブキャリアにヌル信号を用いることでＯＦＤＭ変調方式を用いる通信システムから他システムヘの与干渉を低減し、かつＯＦＤＭ変調方式が他システムの干渉信号から受ける被干渉を低減するところが共通した特徴である。
【００４４】
また、ＯＦＤＭ変調方式を用いた通信システムと、気象レーダ等に代表される干渉システムの送信電力差が大きいこと、さらに干渉システムの信号が鋭い指向性を持ち、一定周期で回転するアンテナから干渉信号が送信されることを利用し、ＯＦＤＭ変調方式の通信局で、他システムからの干渉信号の干渉期間、送信周期を検出し、これに基いた期間、周期での送信を停止する制御を行うことで、相互のシステム間の与干渉、被干渉の影響を低減することも本発明の特徴である。
さらに、送信を停止する期間を任意に設定可能なことも本発明の特徴である。
【００４５】
さらに、干渉信号の受信レベルに応じて、ヌル信号を使用するサブキャリア数を変化させ、他システムからの干渉の影響に応じて適応的に与干渉、被干渉の影響を低減することも本発明の大きな特徴である。
以上述べた通り、本発明によれば、大送信電力で送信を行う他システムが存在する下で、ＯＦＤＭ変調方式を用いて通信を行う場合に被干渉及び与干渉の影響を抑制し、相互のシステム間での特性劣化を抑制したマルチキャリア変調方式用送信回路を実現できる。
【００４６】
【発明の実施の形態】
以下、本発明の実施の形態を図面を参照して詳細に説明する。本発明の第１の実施の形態に係るマルチキャリア変調方式用送信回路の構成を図１に示す。図１に示される第１の実施の形態に係るマルチキャリア変調方式用送信回路の動作は以下の通りである。図１において入力信号ｓ１０１は１６ＱＡＭ変調回路１０１に入力され変調信号ｓ１０２を得る。変調信号ｓ１０２は直列並列変換回路１０２に入力されサブキャリア変調信号ｓ１０３を出力する。ヌル信号生成回路１０３では、Ｉｃｈ、Ｑｃｈともに０の値を持つヌル信号ｓ１０４を出力する。各サブキャリアごとに分けられたサブキャリア変調信号ｓ１０３と、ヌル信号ｓ１０４はＩＦＦＴ回路１０４に入力されＯＦＤＭ変調が行われＯＦＤＭ信号ｓ１０５が出力される。ここで、ヌル信号はＩＦ段以上での送信スペクトルの折り返しを避けるために送信帯域幅の帯域両端部に相当するＩＦＦＴポイント、かつ共用を図る他システムの帯域に相当するポイントに入力される。
【００４７】
以上、ＩＦＦＴ回路１０４が、本発明のマルチキャリア変調手段に対応している。  ＯＦＤＭ信号ｓ１０５は並列直列変換回路１０５に入力がなされ、並列直列変換回路１０５の読み出し順序を制御するガードインターバル付加制御回路１３０の出力信号である制御信号ｓ１０６も併せて入力され、並列直列変換回路１０５の読み出し順番を操作し、ＩＦＦＴ回路１０４の出力信号の一部分を繰り返して読み出したガードインターバルをＯＦＤＭ信号に付加してＯＦＤＭシンボルを生成し、送信信号ｓ１０７として出力される。
【００４８】
本発明の第２の実施の形態に係るマルチキャリア変調方式用送信回路の構成を図２に示す。図２に示される第２の実施の形態に係るマルチキャリア変調方式用送信回路の動作は以下の通りである。図２において入力信号ｓ２０１は１６ＱＡＭ変調回路２０１に入力され変調信号ｓ２０２を得る。変調信号ｓ２０２は直列並列変換回路２０２に入力されサブキャリア変調信号ｓ２０３を出力する。ヌル信号生成回路２０３では、Ｉｃｈ、Ｑｃｈともに０の値を持つヌル信号ｓ２０４を出力する。各サブキャリアごとに分けられたサブキャリア変調信号ｓ２０３と、ヌル信号ｓ２０４はＩＦＦＴ回路２０４に入力されＯＦＤＭ変調が行われＯＦＤＭ信号ｓ２０５が出力される。
【００４９】
ここで、ヌル信号はＩＦ段以上での送信スペクトルの折り返しを避けるために送信帯域幅の帯域両端部に相当するＩＦＦＴポイント、かつ共用を図る他システムの帯域に相当するポイントに入力される。ＯＦＤＭ信号ｓ２０５は、並列直列変換回路２０５に入力がなされ、並列直列変換回路２０５の読み出し順序を制御するガードインターバル付加制御回路２３０の出力信号である制御信号ｓ２０６も併せて入力され、並列直列変換回路２０５の読み出し順番を操作し、ＩＦＦＴ回路２０４の出力信号の一部分を繰り返して読み出したガードインターバルをＯＦＤＭ信号に付加してＯＦＤＭシンボルを生成し送信信号ｓ２０７として出力される。
【００５０】
一方、アンテナ回路２０６では受信信号ｓ２０８が受信される。アンテナ回路出力信号ｓ２０９はスイッチ回路２０７に入力され、その後、スイッチ回路出力信号ｓ２１０として干渉信号レベル検出回路２０８に入力される。干渉信号レベル検出回路２０８では干渉信号レベル信号ｓ２１１が出力される。干渉信号閾値回路２０９では、干渉信号レベル信号ｓ２１１が設定された閾値より大きい場合には、干渉信号が入力されていることを示す閾値回路出力信号ｓ２１２を出力する。干渉期間検出回路２１０では、閾値回路出力信号ｓ２１２に基いて干渉信号の干渉期間を検出し干渉期間信号ｓ２１４を出力する。信号送信回路２１２には、干渉期間信号ｓ２１４が入力され、これらの情報に基いて送信信号ｓ２０７に対する出力を、干渉信号が到来している場合には停止する制御を行い、この制御に従った制御送信信号ｓ２１５が出力される。
以上、干渉信号レベル検出回路２０８、干渉信号閾値回路２０９、干渉期間検出回路２１０、及び信号送信回路２１２が、第２の実施の形態に係るマルチキャリア変調方式用送信回路の特徴とするところであり、それぞれ本発明の干渉信号レベル検出手段と、閾値手段と、干渉期間検出手段と、信号送信手段とに対応している。
【００５１】
次に、本発明の第３の実施の形態に係るマルチキャリア変調方式用送信回路の構成を図３に示す。図３に示される第３の実施の形態に係るマルチキャリア変調方式用送信回路の動作は以下の通りである。図３において入力信号ｓ３０１は１６ＱＡＭ変調回路３０１に入力され変調信号ｓ３０２を得る。変調信号ｓ３０２は直列並列変換回路３０２に入力されサブキャリア変調信号ｓ３０３を出力する。ヌル信号生成回路３０３では、Ｉｃｈ、Ｑｃｈともに０の値を持つヌル信号ｓ３０４を出力する。各サブキャリアごとに分けられたサブキャリア変調信号ｓ３０３と、ヌル信号ｓ３０４はＩＦＦＴ回路３０４に入力されＯＦＤＭ変調が行われＯＦＤＭ信号ｓ３０５が出力される。
【００５２】
ここで、ヌル信号はＩＦ段以上での送信スペクトルの折り返しを避けるために送信帯域幅の帯域両端部に相当するＩＦＦＴポイント、かつ共用を図る他システムの帯域に相当するポイントに入力される。ＯＦＤＭ信号ｓ３０５は、並列直列変換回路３０５に入力され、並列直列変換回路３０５の読み出し順序を制御するガードインターバル付加制御回路３３０の出力信号である制御信号ｓ３０６も併せて入力され、並列直列変換回路３０５の読み出し順番を操作し、ＩＦＦＴ回路３０４の出力信号の一部分を繰り返して読み出したガードインターバルをＯＦＤＭ信号に付加してＯＦＤＭシンボルを生成し送信信号ｓ３０７として出力される。
【００５３】
一方、アンテナ回路３０６では受信信号ｓ３０８が受信される。アンテナ回路出力信号ｓ３０９はスイッチ回路３０７に入力され受信信号の受信時にはスイッチ回路出力信号ｓ３１０として出力される。ここで、ｎ個の干渉周波数選択フィルタ３１３にスイッチ回路出力信号ｓ３１０が入力され、各干渉周波数に応じた抽出が行われｎ個のフィルタ出力ｓ３１６が得られる。以降では、ある１つの干渉周波数に対応した実施例について説明を行う。
【００５４】
干渉信号レベル検出回路３０８では干渉信号レベル信号ｓ３１１が出力される。干渉信号閾値回路３０９では、干渉信号レベル信号ｓ３１１が設定された閾値より大きい場合には、干渉信号が入力されていることを示す閾値回路出力信号ｓ３１２を出力する。干渉期間検出回路３１０では、閾値回路出力信号ｓ３１２に基いて干渉信号の干渉期間を検出し干渉期間信号ｓ３１４を出力する。
信号送信回路３１２には、ｎ個の干渉周波数に対応した干渉期間信号ｓ３１４が入力され、これらの情報に基いて送信信号ｓ３０７の出力を、干渉信号が到来している場合には停止する制御を行い、この制御に従った制御送信信号ｓ３１５が出力される。
以上、干渉周波数選択フィルタ３１３、信号送信回路３１２が、第３の実施の形態に係るマルチキャリア変調方式用送信回路の特徴とするところであり、それぞれ、本発明の干渉周波数選択フイルタ手段と、信号送信手段とに対応している、
【００５５】
本発明の第４の実施の形態に係るマルチキャリア変調方式用送信回路構成を図４に示す。図４に示される第４の実施の形態に係るマルチキャリア変調方式用送信回路の動作は以下の通りである。図４において入力信号ｓ４０１は１６ＱＡＭ変調回路４０１に入力され変調信号ｓ４０２を得る。変調信号ｓ４０２は直列並列変換回路４０２に入力されサブキャリア変調信号ｓ４０３を出力する。ヌル信号生成回路４０３では、Ｉｃｈ、Ｑｃｈともに０の値を持つヌル信号ｓ４０４を出力する。各サブキャリアごとに分けられたサブキャリア変調信号ｓ４０３と、ヌル信号ｓ４０４はＩＦＦＴ回路４０４に入力されＯＦＤＭ変調が行われＯＦＤＭ信号ｓ４０５が出力される。
【００５６】
ここで、ヌル信号はＩＦ段以上での送信スペクトルの折り返しを避けるために送信帯域幅の帯域両端部に相当するＩＦＦＴポイント、かつ共用を図る他システムの帯域に相当するポイントに入力される。ＯＦＤＭ信号ｓ４０５は並列直列変換回路４０５に入力され、並列直列変換回路４０５の読み出し順序を制御するガードインターバル付加制御回路４３０の出力信号である制御信号ｓ４０６も併せて入力され、並列直列変換回路４０５の読み出し順番を操作し、ＩＦＦＴ回路４０４の出力信号の一部分を繰り返して読み出したガードインターバルをＯＦＤＭ信号に付加してＯＦＤＭシンボルを生成し送信信号ｓ４０７として出力される。
【００５７】
一方、アンテナ回路４０６では受信信号ｓ４０８が受信される。アンテナ回路出力信号ｓ４０９はスイッチ回路４０７に入力され、その後、スイッチ回路出力信号ｓ４１０として干渉信号レベル検出回路４０８に入力される。干渉信号レベル検出回路４０８では干渉信号レベル信号ｓ４１１が出力される。干渉信号閾値回路４０９では、干渉信号レベル信号ｓ４１１が設定された閾値より大きい場合には、干渉信号が入力されていることを示す閾値回路出力信号ｓ４１２を出力する。干渉期間検出推定回路４１０では、閾値回路出力信号ｓ４１２に基いて干渉信号の干渉期間を検出、その後、推定も行い干渉期間信号ｓ４１３を出力する。
【００５８】
また、干渉信号周期検出推定回路４１１では、閾値回路出力信号ｓ４１２に基いて干渉信号の送信周期を検出、その後、推定も行い送信周期信号ｓ４１４を出力する。また、閾値回路出力信号ｓ４１２は制御回路４１４にも入力され送信周期信号ｓ４１４で示される時間以上に渡り閾値回路出力信号ｓ４１２が入力されない場合には、リセット信号ｓ４１７を出力する。信号送信回路４１２には、干渉期間信号ｓ４１３、送信周期信号ｓ４１４、リセット信号ｓ４１７が入力され、これらの情報に基いて送信信号ｓ４０７の出力を、干渉信号が到来している場合には停止する制御を行い、かつ、リセット信号ｓ４１７が入力された場合には、リセット信号ｓ４１７が出力された干渉信号に対する制御を解除し、制御送信信号ｓ４１５が出力される。
【００５９】
以上、干渉信号レベル検出回路４０８、干渉信号閾値回路４０９、干渉期間検出推定回路４１０、干渉信号周期検出推定回路４１１、制御回路４１４、及び信号送信回路４１２が、第４の実施の形態に係るマルチキャリア変調方式用送信回路の特徴とするところであり、それぞれ本発明の干渉信号レベル検出手段と、閾値手段と、干渉期間検出推定手段と、干渉信号周期検出推定手段と、制御手段、及び信号送信手段とに対応している。
【００６０】
本発明の第５の実施の形態に係るマルチキャリア変調方式用送信回路の構成を図５に示す、図５に示される第５の実施の形態に係るマルチキャリア変調方式用送信回路の動作は以下の通りである。図５において入力信号ｓ５０１は１６ＱＡＭ変調回路５０１に入力され変調信号ｓ５０２を得る。変調信号ｓ５０２は直列並列変換回路５０２に入力されサブキャリア変調信号ｓ５０３を出力する。ヌル信号生成回路５０３では、Ｉｃｈ、Ｑｃｈともに０の値を持つヌル信号ｓ５０４を出力する。各サブキャリアごとに分けられたサブキャリア変調信号ｓ５０３と、ヌル信号ｓ５０４はＩＦＦＴ回路５０４に入力されＯＦＤＭ変調が行われＯＦＤＭ信号ｓ５０５が出力される。ここで、ヌル信号はＩＦ段以上での送信スペクトルの折り返しを避けるために送信帯域幡の帯域両端部に相当するＩＦＦＴポイント、かつ共用を図る他システムの帯域に相当するポイントに入力される。
【００６１】
ＯＦＤＭ信号ｓ５０５は、並列直列変換回路５０５に入力され、並列直列変換回路５０５の読み出し順序を制御するガードインターバル付加制御回路５３０の出力信号である制御信号ｓ５０６も併せて入力され、並列直列変換回路５０５の読み出し順番を操作し、ＩＦＦＴ回路５０４の出力信号の一部分を繰り返して読み出したガードインターバルをＯＦＤＭ信号に付加してＯＦＤＭシンボルを生成し送信信号ｓ５０７として出力される。
一方、アンテナ回路５０６では受信信号ｓ５０８が受信される。アンテナ回路出力信号ｓ５０９はスイッチ回路５０７に入力され、信号受信時にはスイッチ回路出力信号ｓ５１０として出力される。
【００６２】
ここで、ｎ個の干渉周波数選択フィルタ５１３にスイッチ回路出力信号ｓ５１０が入力され、各干渉周波数に応じた抽出が行われｎ個のフィルタ出力ｓ５１６が得られる。以降では、ある１つの干渉周波数に対応した実施例について説明を行う。
干渉信号レベル検出回路５０８では干渉信号レベル信号ｓ５１１が出力される。干渉信号閾値回路５０９では、干渉信号レベル信号ｓ５１１が設定された閾値より大きい場合には、干渉信号が入力されていることを示す閾値回路出力信号ｓ５１２を出力する。干渉期間検出推定回路５１０では、閾値回路出力信号ｓ５１２に基いて干渉信号の干渉期間を検出し、その後、推定した値である干渉期間信号ｓ５１３を出力する。
【００６３】
また、干渉信号周期検出推定回路５１１では、閾値回路出力信号ｓ５１２に基いて干渉信号の送信周期を検出し、その後推定した値である送信周期信号ｓ５１４を出力する。また、閾値回路出力信号ｓ５１２は制御回路５１４にも入力され送信周期信号ｓ５１４で示される長い時間以上に渡り、閾値回路出力信号ｓ５１２が入力されない場合には、リセット信号ｓ５１７を出力する。信号送信回路５１２には、ｎ個の干渉周波数に対応した干渉期間信号ｓ５１３、送信周期信号ｓ５１４、及びリセット信号ｓ５１７が入力され、これらの情報に基いて送信信号ｓ５０７に対する出力を、干渉信号が到来している場合には停止する制御を行い、かつ、リセット信号ｓ５１７が入力された場合には、リセット信号が出力された干渉信号に対する制御を解除し、制御送信信号ｓ５１５が出力される。
以上、干渉周波数選択フィルタ５１３、信号送信回路５１２が、第５の実施の形態に係るマルチキャリア変調方式用送信回路の特徴とするところであり、それぞれ本発明の干渉周波数選択フィルタ手段、及び信号送信手段とに対応している。
【００６４】
本発明の第６の実施の形態に係るマルチキャリア変調方式用送信回路の構成を図６に示す。図６に示される第６の実施の形態に係るマルチキャリア変調方式用送信回路の動作は以下の通りである。図６において入力信号ｓ６０１は１６ＱＡＭ変調回路６０１に入力され変調信号ｓ６０２を得る。変調信号ｓ６０２は直列並列変換回路６０２に入力されサブキャリア変調信号ｓ６０３を出力する。ヌル信号生成回路６０３では、Ｉｃｈ、Ｑｃｈともに０の値を持つヌル信号ｓ６０４を出力する。入力切替回路６３１及び６３２には、ヌル信号ｓ６０４とサブキャリア変調信号ｓ６０３が入力される。このサブキャリア変調信号ｓ６０３をヌル信号ｓ６０４で置きかえる操作は、干渉信号複数閾値回路６０９の出力信号ｓ６１２の値に比例して干渉期間信号ｓ６１４で示される時間に亙り行われる。
【００６５】
具体的には、入力切替回路６３１及び６３２は、共用する他システムが使用する帯域に相当している直列並列変換回路６０２の出力信号を、複数干渉期間検出回路６１０の出力信号が示す各干渉期間に亙って、ヌル信号生成回路６０３の出力信号に置き換える。また、その置き換える数は干渉信号複数閾値回路６０９の出力信号が大きくなるに従い増加させる。
【００６６】
入力切替回路６３１、６３２の出力信号ｓ６１６、及びヌル信号ｓ６０４はＩＦＦＴ回路６０４に入力されＯＦＤＭ変調が行われＯＦＤＭ信号ｓ６０５が出力される。ここで、ヌル信号はＩＦ段以上での送信スペクトルの折り返しを避けるために送信帯域幅の帯域両端部に相当するＩＦＦＴポイント、かつ共用を図る他システムの帯域に相当するポイントに入力される。ＯＦＤＭ信号ｓ６０５は、並列直列変換回路６０５に入力され、並列直列変換回路６０５の読み出し順序を制御するガードインターバル付加制御回路６３０の出力信号である制御信号ｓ６０６も併せて入力され、並列直列変換回路６０５の読み出し順番を操作し、ＩＦＦＴ回路６０４の出力信号の一部分を繰り返して読み出したガードインターバルをＯＦＤＭ信号に付加してＯＦＤＭシンボルを生成し送信信号ｓ６０７として出力される。
【００６７】
一方、アンテナ回路６０６では受信信号ｓ６０８が受信される。アンテナ回路出力信号ｓ６０９はスイッチ回路６０７に入力され、信号受信時にはスイッチ回路出力信号ｓ６１０として出力される。スイッチ回路出力信号ｓ６１０は干渉信号レベル検出回路６０８に入力される。干渉信号レベル検出回路６０８では干渉信号レベル信号ｓ６１１が出力される。干渉信号複数閾値回路６０９では、閾値を複数設定し、干渉信号レベル信号ｓ６１１が複数設定された閾値を超えたレベルに応じて、その閾値レベルを示す複数閾値回路出力信号ｓ６１２を出力する。複数干渉期間検出回路６１０では、干渉信号複数閾値回路６０９の出力信号ｓ６１２に基いて干渉信号の各干渉期間を検出し干渉期間信号ｓ６１４を出力する。
【００６８】
信号送信回路６１２には干渉期間信号ｓ６１４が入力され、この情報に基いて送信信号ｓ６０７に対する出力を、停止する制御を行い制御送信信号ｓ６１５が出力される。
以上、干渉信号レベル検出手段６０８、干渉信号複数閾値回路６０９、複数干渉期間検出回路６１０、信号送信回路６１２、及び、入力切替回路６３１、６３２が、本発明の第６の実施の形態に係るマルチキャリア変調方式用送信回路の特徴とするところであり、それぞれ本発明の干渉信号レベル検出手段、複数閾値手段、複数干渉期間検出手段、信号送信手段、及び入力切替手段とに対応している。
【００６９】
本発明の第７の実施の形態に係るマルチキャリア変調方式用送信回路の構成を図７に示す。図７に示される第７の実施の形態に係るマルチキャリア変調方式用送信回路の動作は以下の通りである。図７において入力信号ｓ７０１は１６ＱＡＭ変調回路７０１に入力され変調信号ｓ７０２を得る。変調信号ｓ７０２は直列並列変換回路７０２に入力されサブキャリア変調信号ｓ７０３を出力する。ヌル信号生成回路７０３では、Ｉｃｈ、Ｑｃｈともに０の値を持つヌル信号ｓ７０４を出力する。入力切替回路７３１、及び７３２には、ヌル信号ｓ７０４とサブキャリア変調信号ｓ７０３が入力される。
【００７０】
本実施の形態では、ｎ個の他システムに対応させた、複数閾値回路出力信号ｓ７１２、干渉期間信号ｓ７１３が入力されるが、ここでは、ある１つの干渉周波数に対応した実施例について説明を行う。このサブキャリア変調信号ｓ７０３をヌル信号ｓ７０４で置きかえる操作は、複数閾値回路出力信号ｓ７１２の値に比例して干渉期間信号ｓ７１３で示される時間に亙り行われる。
尚、本実施の形態では、ｎ個の他システムに対応させて制御を行う際に、入力切替回路７３１、及び７３２は、ｎ個の各干渉期間検出部毎に、共用する他システムが使用する帯域に相当している直列並列変換回路７０２の出力信号を、複数干渉期間検出回路７１０の出力信号が示す各干渉期間に亙って、ヌル信号生成回路７０３の出力信号に置き換える。また、その置き換える数は干渉信号複数閾値回路７０９の出力信号が大きくなるに従い増加させる。
【００７１】
入力切替回路７３１、７３２の出力信号ｓ７１６、及びヌル信号ｓ７０４はＩＦＦＴ回路７０４に入力されＯＦＤＭ変調が行われＯＦＤＭ信号ｓ７０５が出力される。ここで、ヌル信号はＩＦ段以上での送信スペクトルの折り返しを避けるために送信帯域幅の帯域両端部に相当するＩＦＦＴポイント、かつ共用を図る他システムの帯域に相当するポイントに入力される。ＯＦＤＭ信号ｓ７０５は並列直列変換回路７０５に入力され、並列直列変換回路７０５の読み出し順序を制御するガードインターバル付加制御回路１０３０の出力信号である制御信号ｓ７０６も併せて入力され、並列直列変換回路７０５の読み出し順番を操作し、ＩＦＦＴ回路７０４の出力信号の一部分を繰り返して読み出したガードインターバルをＯＦＤＭ信号に付加してＯＦＤＭシンボルを生成し送信信号ｓ７０７として出力される。
【００７２】
一方、アンテナ回路７０６では受信信号ｓ７０８が受信される。アンテナ回路出力信号ｓ７０９はスイッチ回路７０７に入力され、信号受信時にはスイッチ回路出力信号ｓ７１０として出力される。ここで、ｎ個の干渉周波数選択フィルタ７１７にスイッチ回路出力信号ｓ７１０が入力され、各干渉周波数に応じた抽出が行われｎ個のフィルタ出力ｓ７１７が得られる。以降では、ある１つの干渉周波数に対応した実施例について説明を行う。干渉信号レベル検出回路７１８では干渉信号レベル信号ｓ７１１が出力される。干渉信号複数閾値回路７１９では、閾値を複数設定し、干渉信号レベル信号ｓ７１１が複数設定された閾値を超えたレベルに応じて、その閾値レベルを示す干渉信号複数閾値回路７０９の出力信号ｓ７１２を出力する。
【００７３】
複数干渉期間検出回路７１０では、干渉信号複数閾値回路７１９の出力信号ｓ７１２に基いて干渉信号の各干渉期間を検出し干渉期間信号ｓ７１３を出力する。信号送信回路７１２には干渉期間信号ｓ７１３が入力され、この情報に基いて送信信号ｓ７０７  に対する出力を、停止する制御を行い制御送信信号ｓ７１５が出力される。
以上、干渉周波数選択フィルタ７１７、信号送信回路７１２、及び、入力切替回路７３１、７３２が、第７の実施の形態に係るマルチキャリア変調方式用送信回路の特徴とするところであり、それぞれ本発明の干渉周波数選択フィルタ手段、信号送信手段、及び入力切替手段とに対応している。
【００７４】
本発明の第８の実施の形態に係るマルチキャリア変調方式用送信回路の構成を図８に示す。図８に示される第８の実施の形態に係るマルチキャリア変調方式用送信回路の動作は以下の通りである。図８において入力信号ｓ８０１は１６ＱＡＭ変調回路８０１に入力され変調信号ｓ８０２を得る。変調信号ｓ８０２は直列並列変換回路８０２に入力されサブキャリア変調信号ｓ８０３を出力する。ヌル信号生成回路８０３では、Ｉｃｈ、Ｑｃｈともに０の値を持つヌル信号ｓ８０４を出力する、入力切替回路８３２、及び８３１には、ヌル信号ｓ８０４とサブキャリア変調信号ｓ８０３が入力される。
【００７５】
このサブキャリア変調信号ｓ８０３をヌル信号ｓ８０４で置きかえる操作は、複数閾値回路出力信号ｓ８１２の値に比例して干渉期間信号ｓ８１３で示される時間に亙り行われる。具体的には、入力切替回路８３１、８３２は、ヌル信号生成回路８０３、干渉信号複数閾値回路８０９、直列並列変換回路８０２、複数干渉期間検出推定回路８１０、干渉信号周期検出推定回路８１１及び制御回路８１４の出力信号を取り込み、共用する他システムが使用する帯域に相当している直列並列変換回路８０２の出力信号を、複数干渉期間検出回路８１０の出力信号が示す各干渉期間に亙って、ヌル信号生成回路８０３の出力信号に置き換える。また、その置き換える数は干渉信号複数閾値回路８０９の出力信号が大きくなるに従い増加させる。
【００７６】
また、このヌル信号生成回路８０３の出力信号（ヌル信号）に置き換える操作は、送信周期信号ｓ８１４に従い周期的に行われる。さらに、リセット信号ｓ８１７が入力切替回路８３１、８３２に入力された場合には、この操作を停止する。入力切替回路出力信号ｓ８１６及びヌル信号ｓ８０４はＩＦＦＴ回路８０４に入力されＯＦＤＭ変調が行われＯＦＤＭ信号ｓ８０５が出力される。ここで、ヌル信号はＩＦ段以上での送信スペクトルの折り返しを避けるために送信帯域幅の帯域両端部に相当するＩＦＦＴポイント、かつ共用を図る他システムの帯域に相当するポイントに入力される。ＯＦＤＭ信号ｓ８０５は、並列直列変換回路８０５に入力され、並列直列変換回路８０５の読み出し順序を制御するガードインターバル付加制御回路８３０の出力信号である制御信号ｓ８０６も併せて入力され、並列直列変換回路８０５の読み出し順番を操作し、ＩＦＦＴ回路８０４の出力信号の一部分を繰り返して読み出したガードインターバルをＯＦＤＭ信号に付加してＯＦＤＭシンボルを生成し送信信号ｓ８０７として出力される。
【００７７】
一方、アンテナ回路８０６では受信信号ｓ８０８が受信される。アンテナ回路出力信号ｓ８０９はスイッチ回路８０７に入力され、信号受信時にはスイッチ回路出力信号ｓ８１０として出力される。スイッチ回路出力信号ｓ８１０は干渉信号レベル検出回路８０８に入力される。干渉信号レベル検出回路８０８では干渉信号レベル信号ｓ８１１が出力される。干渉信号複数閾値回路８０９では、閾値を複数設定し、干渉信号レベル信号ｓ８１１が複数設定された閾値を超えたレベルに応じて、その閾値レベルを示す干渉信号複数閾値回路８０９の出力信号ｓ８１２を出力する。複数干渉期間検出推定回路８１０では、複数閾値回路出力信号ｓ８１２に基いて干渉信号の干渉期間を検出、その後、推定を行い干渉期間信号ｓ８１３を出力する。
【００７８】
また、干渉信号周期検出推定回路８１１では、複数閾値回路出力信号ｓ８１２を複数回、取り込み、一定期間周期で受信する干渉信号の送信周期を検出し、複数回の検出値に基づいて送信周期の推定を行い、送信周期信号ｓ８１４を出力する。
また、干渉信号複数閾値回路８０９の出力信号ｓ８１２は制御回路８１４にも入力され送信周期信号ｓ８１４で示される時間以上に亙り複数閾値回路出力信号ｓ８１２が入力されない場合には、リセット信号ｓ８１７を出力する。信号送信回路８１２には、干渉期間信号ｓ８１３、送信周期信号ｓ８１４、リセット信号ｓ８１７が入力され、これらの情報に基いて送信信号ｓ８０７に対する出力を、停止する制御を行い、かつ、リセット信号ｓ８１７が入力された場合にはこの制御を停止し、制御送信信号ｓ８１５が出力される。
【００７９】
以上、干渉信号レベル検出回路８０８、干渉信号複数閾値回路８０９、複数干渉期間検出推定回路８１０、干渉信号周期検出推定回路８１１、制御回路８１４、信号送信回路８１２、及び、入力切替回路８３１、８３２が、第８の実施の形態に係るマルチキャリア変調方式用送信回路の特徴とするところであり、それぞれ本発明の干渉信号レベル検出手段、複数閾値手段、複数干渉期間検出推定手段、干渉信号周期検出推定手段、制御手段、信号送信手段、及び入力切替手段とに対応している。
【００８０】
本発明の第９の実施の形態に係るマルチキャリア変調方式用送信回路の構成を図９に示す。図９に示される第９の実施の形態に係るマルチキャリア変調方式用送信回路の動作は以下の通りである。図９において入力信号ｓ９０１は１６ＱＡＭ変調回路９０１に入力され変調信号ｓ９０２を得る。変調信号ｓ９０２は直列並列変換回路９０２に入力されサブキャリア変調信号ｓ９０３を出力する。ヌル信号生成回路９０３では、Ｉｃｈ、Ｑｃｈともに０の値を持つヌル信号ｓ９０４を出力する。入力切替回路９３２、及び９３１には、ヌル信号ｓ９０４とサブキャリア変調信号ｓ９０３が入力される。
【００８１】
本実施の形態では、ｎ個の他システムに対応させた、干渉信号複数閾値回路９０９の出力信号ｓ９１２、干渉期間信号ｓ９１３、送信周期信号ｓ９１４、リセット信号ｓ９１８が入力されるように構成されいるが、説明の便宜上、ある１つの干渉周波数に対応した実施例について説明を行う。
このサブキャリア変調信号ｓ９０３をヌル信号ｓ９０４で置きかえる操作は、干渉信号複数閾値回路９０９の出力信号ｓ９１２の値に比例して干渉期間信号ｓ９１３で示される時間に亙り行われる。
【００８２】
尚、本実施の形態では、ｎ個の他システムに対応させて制御を行う際に、入力切替回路９３１及び９３２は、ｎ個の干渉期間検出部毎に、共用する他システムが使用する帯域に相当している直列並列変換回路９０２の出力信号を、複数干渉期間検出回路９１０の出力信号が示す各干渉期間に亙って、ヌル信号生成回路９０３の出力信号に置き換える。また、その置き換える数は干渉信号複数閾値回路９０９の出力信号が大きくなるに従い増加させる。
また、このヌル信号に置きかえる操作は、送信周期信号ｓ９１４に従い周期的に行われる。さらに、リセット信号ｓ９１８が入力切替回路９３１、９３２に入力された場合には、この操作を停止する。入力切替回路出力信号ｓ９１６及びヌル信号ｓ９０４はＩＦＦＴ回路９０４に入力されＯＦＤＭ変調が行われＯＦＤＭ信号ｓ９０５が出力される。
【００８３】
ここで、ヌル信号はＩＦ段以上での送信スペクトルの折り返しを避けるために送信帯域幅の帯域両端部に相当するＩＦＦＴポイント、かつ共用を図る他システムの帯域に相当するポイントに入力される。ＯＦＤＭ信号ｓ９０５は、並列直列変換回路９０５に入力され、並列直列変換回路９０５の読み出し順序を制御するガードインターバル付加制御回路９３０の出力信号である制御信号ｓ９０６も併せて入力され、並列直列変換回路９０５の読み出し順番を操作し、ＩＦＦＴ回路９０４の出力信号の一部分を繰り返して読み出したガードインターバルをＯＦＤＭ信号に付加してＯＦＤＭシンボルを生成し送信信号ｓ９０７として出力される。
【００８４】
一方、アンテナ回路９０６では受信信号ｓ９０８が受信される。アンテナ回路出力信号ｓ９０９はスイッチ回路９０７に入力され、信号受信時にはスイッチ回路出力信号ｓ９１０として出力される。ここで、ｎ個の干渉周波数選択フィルタ９１７にスイッチ回路出力信号ｓ９１０が入力され、各干渉周波数に応じた抽出が行われｎ個のフィルタ出力ｓ９１７が得られる。以降では、ある１つの干渉周波数に対応した実施例について説明を行う。フィルタ出力ｓ９１７は干渉信号レベル検出回路９０８に入力される。干渉信号レベル検出回路９０８では干渉信号レベル信号ｓ９１１が出力される。
【００８５】
干渉信号複数閾値回路９０９では、閾値を複数設定し、干渉信号レベル信号ｓ９１１が複数設定された閾値を超えたレベルに応じて、その閾値レベルを示す複数閾値回路出力信号ｓ９１２を出力する。複数干渉期間検出推定回路９１０では、複数閾値回路出力信号ｓ９１２に基いて干渉信号の干渉期間を検出、その後、推定を行い干渉期間信号ｓ９１３を出力する。また、干渉信号周期検出推定回路９１１では、複数閾値回路出力信号ｓ９１２に基いて干渉信号の送信周期を検出、その後、推定を行い送信周期信号ｓ９１４を出力する。
【００８６】
また、複数閾値回路出力信号ｓ９１２は制御回路９１４にも入力され送信周期信号ｓ９１４で示される時間以上に亙り、複数閾値回路出力信号ｓ９１２が入力されない場合には、リセット信号ｓ９１８を出力する。信号送信回路９１２には、干渉期間信号ｓ９１３、送信周期信号ｓ９１４、リセット信号ｓ９１８が入力され、これらの情報に基いて送信信号ｓ９０７に対する出力を、停止する制御を行い、かつ、リセット信号ｓ９１８が入力された場合にはこの制御を停止し、制御送信信号ｓ９１５が出力される。
以上、干渉周波数フィルタ９１７、信号送信回路９１２、及び、入力切替回路９３１、９３２が、第９の実施の形態に係るマルチキャリア変調方式用送信回路の特徴とするところであり、それぞれ本発明の干渉周波数選択フィルタ手段、信号送信手段、及び入力切替手段とに対応している。
【００８７】
本発明の第１０の実施の形態に係るマルチキャリア変調方式用送信回路の構成を図１０に示す。図１０に示される第１０の実施の形態に係るマルチキャリア変調方式用送信回路の動作は以下の通りである。図６において入力信号ｓ１００１は１６ＱＡＭ変調回路１００１に入力され変調信号ｓ１００２を得る。変調信号ｓ１００２は直列並列変換回路１００２に入力されサブキャリア変調信号ｓ１００３を出力する。ヌル信号生成回路１００３では、Ｉｃｈ、Ｑｃｈともに０の値を持つヌル信号ｓ１００４を出力する。各サブキャリアごとに分けられたサブキャリア変調信号ｓ１００３と、ヌル信号ｓ１００４はＩＦＦＴ回路１００４に入力されＯＦＤＭ変調が行われＯＦＤＭ信号ｓ１００５が出力される。
【００８８】
ここで、ヌル信号はＩＦ段以上での送信スペクトルの折り返しを避けるために送信帯域幅の帯域両端部に相当するＩＦＦＴポイント、かつ共用を図る他システムの帯域に相当するポイントに入力される。ＯＦＤＭ信号ｓ１００５は、並列直列変換回路１００５に入力され、並列直列変換回路１００５の読み出し順序を制御するガードインターバル付加制御回路１０３０の出力信号である制御信号ｓ１００６も併せて入力され、並列直列変換回路１００５の読み出し順番を操作し、ＩＦＦＴ回路１００４の出力信号の一部分を繰り返して読み出したガードインターバルをＯＦＤＭ信号に付加してＯＦＤＭシンボルを生成し送信信号ｓ１００７として出力される。
【００８９】
一方、アンテナ回路１００６では受信信号ｓ１００８が受信される。アンテナ回路出力信号ｓ１００９はスイッチ回路１００７に入力され、その後、スイッチ回路出力信号ｓ１０１０として干渉信号レベル検出回路１００８に入力される。干渉信号レベル検出回路１００８では干渉信号レベル信号ｓ１０１１が出力される。干渉信号閾値回路１００９では、干渉信号レベル信号ｓ１０１１が設定された閾値より大きい場合には、干渉信号が入力されていることを示す閾値回路出力信号ｓ１０１２を出力する。干渉期間検出回路１０１０では、閾値回路出力信号ｓ１０１２に基いて干渉信号の干渉期間を検出し干渉期間信号ｓ１０１４を出力する。
【００９０】
信号送信回路１０１２には、干渉期間信号ｓ１０１４が入力され、これらの情報に基いて送信信号ｓ１００７に対する出力を、干渉信号が到来している場合には停止する制御を行い、この制御に従った制御送信信号ｓ１０１５が出力される、
一方、干渉期間信号ｓ１０１４は干渉情報送信回路１０１５に入力され、干渉信号の干渉期間を他局に周知するための信号が生成され、干渉情報信号ｓ１０１９が出力される。切替回路１０１６には、制御送信信号ｓ１０１５と干渉情報信号ｓ１０１９が入力され、干渉情報が必要とされる場合には、制御送信信号ｓ１０１５の送信を一時停止して干渉情報信号ｓ１０１９が送信される。
【００９１】
尚、図１０に示した本実施の形態では、干渉信号の干渉期間を検出する干渉期間検出回路１０１０の出力信号のみが干渉情報送信回路１０１５に入力され、切替回路１０１６を介して外部に送信されるように構成されているが、これに限らず、これを含む、図２乃至図９を参照して説明した、または図１１、１２に示された検出、または推定した干渉信号の干渉期間、送信周期等のうちの少なくとも１つの情報を送信するようにしてもよい。
以上、干渉情報送信回路１０１５、切替回路１０１６が、第１０の実施の形態に係るマルチキャリア変調方式用送信回路の特徴とするところであり、それぞれ本発明の干渉情報送信手段と、切替手段とに対応している。
【００９２】
本発明の第１１の実施の形態に係るマルチキャリア変調方式用送信回路の構成を図１１に示す。図１１に示される第１１の実施の形態に係るマルチキャリア変調方式用送信回路の動作は以下の通りである。図１１において入力信号ｓ１１０１は１６ＱＡＭ変調回路１１０１に入力され変調信号ｓ１１０２を得る。変調信号ｓ１１０２は直列並列変換回路１１０２に入力されサブキャリア変調信号ｓ１１０３を出力する。ヌル信号生成回路１１０３では、Ｉｃｈ、Ｑｃｈともに０の値を持つヌル信号ｓ１１０４を出力する。各サブキャリアごとに分けられたサブキャリア変調信号ｓ１１０３と、ヌル信号ｓ１１０４はＩＦＦＴ回路１１０４に入力されＯＦＤＭ変調が行われＯＦＤＭ信号ｓ１１０５が出力される。
【００９３】
ここで、ヌル信号はＩＦ段以上での送信スペクトルの折り返しを避けるために送信帯域幅の帯域両端部に相当するＩＦＦＴポイント、かつ共用を図る他システムの帯域に相当するポイントに入力される。ＯＦＤＭ信号ｓ１１０５は、並列直列変換回路１１０５に入力され、並列直列変換回路１１０５の読み出し順序を制御するガードインターバル付加制御回路１１３０の出力信号である制御信号ｓ１１０６も併せて入力され、並列直列変換回路１１０５の読み出し順番を操作し、ＩＦＦＴ回路１１０４の出力信号の一部分を繰り返して読み出したガードインターバルをＯＦＤＭ信号に付加してＯＦＤＭシンボルを生成し送信信号ｓ１１０７として出力される。
【００９４】
一方、干渉信号用アンテナ回路１１１６ではアンテナの指向性が干渉信号の信号電力が高い方向に向けられ干渉信号ｓ１１０８が受信される。
この干渉信号用アンテナ回路１１１６は、第１１の実施の形態に係るマルチキャリア変調方式用送信回路の特徴とするところであり、本発明のアンテナ手段に対応している。
アンテナ回路出力信号ｓ１１１０は干渉信号レベル検出回路１１０８に入力される。干渉信号レベル検出回路１１０８では干渉信号レベル信号ｓ１１１１が出力される。干渉信号閾値回路１１０９では、干渉信号レベル信号ｓ１１１１が設定された閾値より大きい場合には、干渉信号が入力されていることを示す閾値回路出力信号ｓ１１１２を出力する。干渉期間検出回路１１１０では、閾値回路出力信号ｓ１１１２に基いて干渉信号の干渉期間を検出し干渉期間信号ｓ１１１３を出力する。
【００９５】
また、干渉信号周期検出回路１１１１では、閾値回路出力信号ｓ１１１２に基いて干渉信号の送信周期を検出し送信周期信号ｓ１１１４を出力する。
信号送信回路１１１２には、干渉期間信号ｓ１１１３、送信周期信号ｓ１１１４が入力され、これらの情報に基いて送信信号ｓ１１０７に対する出力を、干渉信号が到来している場合には停止する制御を行い制御送信信号ｓ１１１５が出力される。本発明の実施の形態は図２乃至図１０に示した実施の形態にも適用可能である。
【００９６】
本発明の第１２の実施の形態に係るマルチキャリア変調方式用送信回路の構成を図１２に示す。図１２に示される第１２の実施の形態に係るマルチキャリア変調方式用送信回路の動作は以下の通りである、図１２において入力信号ｓ１２０１は１６ＱＡＭ変調回路１２０１に入力され変調信号ｓ１２０２を得る。変調信号ｓ１２０２は直列並列変換回路１２０２に入力されサブキャリア変調信号ｓ１２０３を出力する。ヌル信号生成回路１２０３では、Ｉｃｈ、Ｑｃｈともに０の値を持つヌル信号ｓ１２０４を出力する。各サブキャリアごとに分けられたサブキャリア変調信号ｓ１２０３と、ヌル信号ｓ１２０４はＩＦＦＴ回路１２０４に入力されＯＦＤＭ変調が行われＯＦＤＭ信号ｓ１２０５が出力される。
【００９７】
ここで、ヌル信号はＩＦ段以上での送信スペクトルの折り返しを避けるために送信帯域幅の帯域両端部に相当するＩＦＦＴポイント、かつ共用を図る他システムの帯域に相当するポイントに入力される。ＯＦＤＭ信号ｓ１２０５は並列直列変換回路１２０５に入力され、並列直列変換回路１２０５の読み出し順序を制御するガードインターバル付加制御回路１２３０の出力信号である制御信号ｓ１２０６も併せて入力され、並列直列変換回路１２０５の読み出し順番を操作し、ＩＦＦＴ回路１２０４の出力信号の一部分を繰り返して読み出したガードインターバルをＯＦＤＭ信号に付加してＯＦＤＭシンボルを生成し送信信号ｓ１２０７として出力される。
【００９８】
一方、指向性可変干渉信号用アンテナ回路１２１９では、到来方向信号ｓ１２２０によりアンテナの指向性が制御され干渉信号ｓ１２０８が受信される。アンテナ回路出力信号ｓ１２１０は干渉信号レベル検出回路１２０８に入力され干渉信号レベル信号ｓ１２１１が出力される。干渉信号レベル信号ｓ１２１１は干渉信号到来方向推定回路１２２０に入力され、到来方向推定が行われ到来方向信号ｓ１２２０が出力される。
以上、指向性可変干渉信号用アンテナ回路１２１９、干渉信号到来方向推定手段１２２０が、本発明の第１２の実施の形態に係るマルチキャリア変調方式用送信回路の特徴とするところであり、それぞれ本発明のアンテナ手段、到来方向推定手段に対応している。
【００９９】
また、干渉信号閾値回路１２０９では、干渉信号レベル信号ｓ１２１１が設定された閾値より大きい場合には、干渉信号が入力されていることを示す閾値回路出力信号ｓ１２１２を出力する。干渉期間検出回路１２１０では、閾値回路出力信号ｓ１２１２に基いて干渉信号の干渉期間を検出し干渉期間信号ｓ１２１３を出力する。また、干渉信号周期検出回路１２１１では、閾値回路出力信号ｓ１２１２に基いて干渉信号の送信周期を検出し送信周期信号ｓ１２１４を出力する。信号送信回路１２１２には、干渉期間信号ｓ１２１３、送信周期信号ｓ１２１４が入力され、これらの情報に基いて送信信号ｓ１２０７に対する出力を、干渉信号が到来している場合には停止する制御を行い制御送信信号ｓ１２１５が出力される。
【０１００】
【発明の効果】
以上に説明したように、本発明によれば、大送信電力で送信を行う他システムが存在する下で、ＯＦＤＭ変調方式を用いて通信を行う場合に被干渉及び与干渉の影響を抑制し、かつ相互のシステム間での特性劣化の抑制を図ったマルチキャリア変調方式用送信回路を提供することが可能である。
【図面の簡単な説明】
【図１】本発明の第１の実施の形態に係るマルチキャリア変調方式用送信回路の構成を示すブロック図。
【図２】本発明の第２の実施の形態に係るマルチキャリア変調方式用送信回路の構成を示すブロック図。
【図３】本発明の第３の実施の形態に係るマルチキャリア変調方式用送信回路の構成を示すブロック図。
【図４】本発明の第４の実施の形態に係るマルチキャリア変調方式用送信回路の構成を示すブロック図。
【図５】本発明の第５の実施の形態に係るマルチキャリア変調方式用送信回路の構成を示すブロック図。
【図６】本発明の第６の実施の形態に係るマルチキャリア変調方式用送信回路の構成を示すブロック図。
【図７】本発明の第７の実施の形態に係るマルチキャリア変調方式用送信回路の構成を示すブロック図。
【図８】本発明の第８の実施の形態に係るマルチキャリア変調方式用送信回路の構成を示すブロック図。
【図９】本発明の第９の実施の形態に係るマルチキャリア変調方式用送信回路の構成を示すブロック図。
【図１０】本発明の第１０の実施の形態に係るマルチキャリア変調方式用送信回路の構成を示すブロック図。
【図１１】本発明の第１１の実施の形態に係るマルチキャリア変調方式用送信回路の構成を示すブロック図。
【図１２】本発明の第１２の実施の形態に係るマルチキャリア変調方式用送信回路の構成を示すブロック図。
【図１３】ＯＦＤＭ信号から他システム信号への影響を低減するようにＯＦＤＭ信号の中心周波数を他システムが送信する中心周波数に一致させ、与干渉の問題を解決する状態を示す説明図。
【図１４】干渉システムと干渉システムの影響を受ける通信システムとの両システム間で影響を及ぼす関係が時間的に変化する状態を示す説明図。
【図１５】通信システムの通信局における干渉システムからの干渉波の受信レベルが時間軸上で周期的に変化する状態を示す説明図。
【図１６】従来のマルチキャリア変調方式用送信回路の構成を示すブロック図。
【図１７】図１６に示した従来のマルチキャリア変調方式用送信回路におけるＩＦＦＴ回路の具体的構成を示すブロック図。
【符号の説明】
１０１  １６ＱＡＭ変調器
１０２  直列並列変換回路
１０３  ヌル信号生成回路
１０４  ＩＦＦＴ回路
１０５  並列直列変換回路
１３０  ガードインターバル付加制御回路
【図１】
0003578966.tif 000002
【図２】
0003578966.tif 000003
【図３】
0003578966.tif 000004
【図４】
0003578966.tif 000005
【図５】
0003578966.tif 000006
【図６】
0003578966.tif 000007
【図７】
0003578966.tif 000008
【図８】
0003578966.tif 000009
【図９】
0003578966.tif 000010
【図１０】
0003578966.tif 000011
【図１１】
0003578966.tif 000012
【図１２】
0003578966.tif 000013
【図１３】
0003578966.tif 000014
【図１４】
0003578966.tif 000015
【図１５】
0003578966.tif 000016
【図１６】
0003578966.tif 000017
【図１７】
0003578966.tif 000018